(57)【要約】  電子ペーパーが搭載された情報処理装置（１００）において、省電力性と表示される情報の妥当性を両立させるため、電池部（１１４）と、電池部が保持する電池残量を判定する残量判定部（１１３）と、メモリ特性のあるディスプレイ部（１１１）と、電池部から該装置への電力供給を所定の供給量以下に決定する電源ＯＦＦ判定部（１１６）と、設定した所定時間に、電池部からの電力供給開始を制御するタイマー部（１１５）と、電源ＯＦＦ判定部（１１６）が、該装置への電力を所定の供給量以下に決定した場合に、タイマー部へ所定時間を残量判定部（１１３）の電池残量に基づいて設定させるとともに、電池部から該装置への電力供給を所定の供給量以下にし、タイマー部により該装置への電力供給が開始された場合に、残量判定部（１１３）が判定する電池残量に基づいて、ディスプレイ部に電池残量の情報を表示する制御部（１１０）とを備える。
2011001671.tif 000002
【特許請求の範囲】
【請求項１】
情報の加工、表示を行う情報処理装置であって、
該装置へ電力を供給する電池部と、
前記電池部が保持する電池残量を判定する残量判定部と、
電力供給がない状態で、表示内容を継続して保持するメモリ特性のあるディスプレイ部と、
前記電池部から該装置への電力供給を所定の供給量以下に決定する電源ＯＦＦ判定部と、
設定した所定時間に、前記電池部から該装置への電力供給開始を制御するタイマー部と、
前記電源ＯＦＦ判定部が、該装置への電力を前記所定の供給量以下に決定した場合に、前記タイマー部へ、前記所定時間を前記残量判定部の電池残量に基づいて設定させるとともに、前記電池部から該装置への電力供給を所定の供給量以下にし、
前記タイマー部により、該装置への電力供給が開始された場合に、前記残量判定部が判定する電池残量に基づいて、前記ディスプレイ部に電池残量の情報を表示する制御部と、
を備えた情報処理装置。
【請求項２】
該装置の状態と、電池残量と、電池の持続時間と、の関係を示す管理テーブルを、
さらに備え、
前記制御部は、前記残量判定部の電池残量に基づいて前記管理テーブルから時間情報を取得し、該時間情報に従って前記タイマー部へ前記所定時間を設定する、
請求項１に記載の情報処理装置。
【請求項３】
情報の加工、表示を行う情報処理装置であって、
電力供給がない状態で、表示内容を継続して保持するメモリ特性のあるディスプレイ部と、
該装置への電力供給を所定の供給量以下に決定する電源ＯＦＦ判定部と、
前記電源ＯＦＦ判定部が、該装置への電力を前記所定の供給量以下に決定した場合に、前記ディスプレイ部へ所定のデータを表示し、
該装置への電力供給を所定の供給量以下に設定する制御部と、
を備える情報処理装置。
【請求項４】
前記所定のデータとは、該装置の電池残量に関するデータの情報であることを特徴とする請求項３に記載の情報処理装置。
【請求項５】
前記所定のデータとは、広告データの情報であることを特徴とする請求項３に記載の情報処理装置。
【請求項６】
通信網を介してサーバに情報を通知するサーバ通知部、をさらに備え、
前記制御部は、前記サーバ通知部を介して、前記電源ＯＦＦ判定部が、該装置への電力を前記所定の供給量以下に決定した場合に、前記ディスプレイ部に表示されている前記所定のデータが一意に特定できる情報をサーバに通知する機能を備えることを特徴とする請求項４または５に記載の情報処理装置。
【請求項７】
ディスプレイ部に対して電力供給のある状態の表示と、電力供給のない状態の表示の差異から、電力供給のなかった時間を算出する経過時間算出部、をさらに備え、
前記制御部は、前記サーバ通知部を介して、前記表示時間判定部が判定する電力供給のない時間もサーバに通知する機能を備えることを特徴とする請求項６に記載の情報処理装置。
【請求項８】
ユーザの閲覧情報を蓄積し判定する閲覧情報判定部と、
広告データを蓄積する広告データ蓄積部と、
をさらに備え、
前記制御部は、前記閲覧情報判定部がユーザの閲覧情報を所定の評価基準に従って判定した判定結果に基づき、前記広告データ蓄積部に蓄積されている広告データを選択することを特徴とする請求項５に記載の情報処理装置。
【請求項９】
前記所定の評価基準は、ユーザの閲覧回数を基準とした値であることを特徴とする請求項６に記載の情報処理装置。
【請求項１０】
前記所定の評価基準は、ユーザの閲覧時間を基準とした値であることを特徴とする請求項６に記載の情報処理装置。
【請求項１１】
前記閲覧情報判定部は、前記ディスプレイ部に表示されている情報に基づいて判定を行い、
前記制御部は、前記判定結果に基づいて前記広告データ蓄積部に蓄積されている広告データを選択する、
ことを特徴とする請求項６に記載の情報処理装置。
【請求項１２】
前記所定のデータとは、前記情報処理装置に格納されている各種コンテンツをユーザが利用、又は、閲覧したか否かの情報であることを特徴とする請求項３に記載の情報処理装置。
【請求項１３】
前記所定のデータとは、前記情報処理装置に格納されている各種コンテンツデータ一覧情報あることを特徴とする請求項３に記載の情報処理装置。
【請求項１４】
前記所定のデータとは、前記ディスプレイ部に表示されているデータのうち一部、又は、全てのデータを消去するためのデータであることを特徴とする請求項３に記載の情報処理装置。
【請求項１５】
情報の加工、表示を行う情報処理装置の制御方法であって、
該装置へ電力を供給する電池部が保持する電池残量を判定する残量判定ステップと、
前記電池部から該装置への電力供給を所定の供給量以下に決定する電源ＯＦＦ判定ステップと、
設定した所定時間に、前記電池部から該装置への電力供給開始を制御するタイマーステップと、
前記電源ＯＦＦ判定ステップが、該装置への電力を前記所定の供給量以下に決定した場合に、前記タイマーステップへ、前記所定時間を前記残量判定ステップの電池残量に基づいて設定させるとともに、前記電池部から該装置への電力供給を所定の供給量以下にし、
前記タイマーステップにより、該装置への電力供給が開始された場合に、前記残量判定ステップが判定する電池残量に基づいて、電力供給がない状態で表示内容を継続して保持するメモリ特性のあるディスプレイ部に電池残量の情報を表示する、制御ステップと、
を含む情報処理装置の制御方法。
【請求項１６】
情報の加工、表示を行う情報処理装置の制御方法であって、
該装置への電力供給を所定の供給量以下に決定する電源ＯＦＦ判定ステップと、
前記電源ＯＦＦ判定ステップで、所定の電力供給量以下に決定された際に、該装置が各種情報の表示を行うディスプレイ部に、表示されるデータが特定できる情報と、前記ディスプレイ部に前記表示されるデータの表示時間を、有線・無線の各種ネットワーク網を介してサーバに通知するサーバ通知ステップと、
を含む情報処理装置の制御方法。
【発明の詳細な説明】
【技術分野】
【０００１】
本発明は、表示出力機能として電子ペーパーの特性を備えたディスプレイ装置を備える、持ち運び可能な情報処理装置、及び当該装置の制御方法に関する。
【背景技術】
【０００２】
パソコン、携帯電話端末、スマートフォン、ゲーム端末、オーディオプレーヤ、ビデオプレーヤなど各種のモバイル用途の情報処理装置における表示出力装置として、従来、所謂液晶ディスプレイを用いたものが広く一般的に普及していた。【０００３】
しかし、近年これらの各種情報処理装置の中には、表示出力装置として所謂電子ペーパーといわれる表示出力装置を備えたものも普及してきている。【０００４】
電子ペーパーとは、非特許文献１では次のように定義されている。【０００５】
「印刷物の代替を狙い文字の読みやすい表示を提供する静止画重視の電子媒体の概念であり、一般に反射型でメモリ特性をもつ表示技術により実現される。」【０００６】
電子ペーパーは、画面の表示更新時には電力を供給する必要があるものの、一旦表示を更新した後は電力を供給する必要がないという特性を備えるデバイスである。つまり、液晶ディスプレイのように、表示中、常に電力供給が必要な表示出力装置に比べて、電子ペーパーは、低消費電力化が可能である。【０００７】
電子ペーパーを実現する具体的なデバイスとしてはマイクロカプセル型電気泳動方式、コレステリック液晶方式などの方式を搭載した情報処理装置があるが、その他の方式も含めて様々な用途での利用が広がっている（例えば、非特許文献１参照）。【０００８】
モバイル用途で使用する各種情報処理装置では、一般的に搭載する各機能やデバイスの消費電力を低減させることが利便性の向上のために重要である。前述のような表示出力装置に電子ペーパー機能を備えたデバイスを使用した場合には、低消費電力化に有効な手段となり得る。例えば特許文献１では、電子ペーパーを使用した情報配信システムに関する技術が公開されている。
【先行技術文献】
【特許文献】
【０００９】
【特許文献１】特開２００７−１７２２０７号公報
【非特許文献】
【００１０】
【非特許文献１】「電子材料」編集部、「電子材料２００８年５月号別冊  電子ディスプレイ技術２００８」、工業調査会、平成２０年４月８日、ｐ．５５
【発明の概要】
【発明が解決しようとする課題】
【００１１】
電子ペーパーのようなメモリ特性を持つ表示技術の場合、一旦画面の表示更新を行った後は、表示を持続させるための電力を供給する必要がない。したがって、通常は、情報処理装置の電源がＯＦＦになった後では電子ペーパーの表示は更新されない。そのため、電子ペーパーに表示されている内容が電源をＯＦＦした後に妥当ではなくなる場合がある。しかし、常に表示を更新するため電源をＯＮにしたままでは、省電力性という電子ペーパーの利点が活かすことができない。よって、省電力性と表示情報の妥当性を両立させることが困難であった。【００１２】
特に、特許文献１では情報処理装置の電池残量に関して、表示出力装置に表示する技術も開示されている。しかし、一般に装置に装着された電池は、自然放電などにより、長時間放置しておくとその電池残量は少なくなる。【００１３】
そのため、電子ペーパーを用いた表示出力装置には電池残量が十分にある旨の表示がされていても、ユーザが装置の電源スイッチを入れてみると装置の電池残量がない場合が生じる。【００１４】
すなわち、従来の情報処理装置では、電子ペーパーの省電力性を活かしつつ、妥当な電池残量を表示することが困難であるという課題があった。また、その結果、ユーザの誤解がないようなユーザーインターフェース、乃至使い勝手のよいユーザーインターフェースを実現することが困難であるという課題があった。【００１５】
そこで、本発明では、上記問題点に鑑み、表示出力装置としての電子ペーパーを備えた情報処理装置において、装置の電源ＯＦＦ時に、電池残量表示として適切な画面表示に更新する情報処理装置、及び適切な動作制御方法を提供することを目的とする。
【課題を解決するための手段】
【００１６】
そこで本出願のある局面に係る情報処理装置は、該装置へ電力を供給する電池部と、前記電池部が保持する電池残量を判定する残量判定部と、電力供給がない状態で表示内容を継続して保持するメモリ特性のあるディスプレイ部と、前記電池部から該装置への電力供給を所定の供給量以下に決定する電源ＯＦＦ判定部と、設定した所定時間に前記電池部から該装置への電力供給開始を制御するタイマー部と、前記電源ＯＦＦ判定部が該装置への電力を前記所定の供給量以下に決定した場合に、前記タイマー部へ前記所定時間を前記残量判定部の電池残量に基づいて設定させるとともに、前記電池部から該装置への電力供給を所定の供給量以下にし、前記タイマー部により該装置への電力供給が開始された場合に、前記残量判定部が判定する電池残量に基づいて前記ディスプレイ部に電池残量の情報を表示する制御部と、を備えるものである。【００１７】
この構成により、ディスプレイ部の表示を更新するタイミングにのみ情報処理装置の電源をＯＮにすることで、電池残量の表示を最新のものに更新し続けることができる。【００１８】
その結果、ディスプレイ装置として電子ペーパーを備える情報処理装置において、省電力性と電池残量表示の妥当性とを両立させることができる。さらに、電源ＯＦＦ時に適切な画面表示及び画面更新を実現することによって、ユーザの誤解がないようなユーザーインターフェース、乃至使い勝手のよいユーザーインターフェースを提供することが可能となる。【００１９】
また、前記情報処理装置はさらに、管理テーブルを保持し、前記制御部は、前記残量判定部から取得される電池残量を基に前記管理テーブルを参照し、参照した値に従って前記タイマー部を設定する所定の時間を設定するものであってもよい。【００２０】
この構成により、次に電池残量表示を更新すべき時刻をより正確に知ることができる。よって、電池残量の表示を更新する必要がないにもかかわらず情報処理装置の電源をＯＮにするケースを減らし、より省電力性を高めることができる。【００２１】
また、情報処理装置は、電力供給がない状態で、表示内容を継続して保持する、メモリ特性のあるディスプレイ部と、該装置への電力供給を所定の供給量以下に決定する電源ＯＦＦ判定部と、前記電源ＯＦＦ判定部が、該装置への電力を前記所定の供給量以下に決定した場合に、前記ディスプレイ部へ所定のデータを表示し、該装置への電力供給を所定の供給量以下に設定する制御部と、を備えるものであっても良い。【００２２】
この構成により、電源をＯＦＦするタイミングでユーザにとって有用な情報をディスプレイ部に表示することができる。その結果、なにも表示されないで電源がＯＦＦされる場合と比較し、省電力性を保ちつつ、ディスプレイ部に妥当な情報を表示することができる。【００２３】
なお、前記所定のデータとは前記ディスプレイ部に表示されている電池残量のデータの表示を所定の表示に更新するものであってもよい。【００２４】
なお、前記所定のデータとは、広告データであってもよい。【００２５】
なお、前記情報処理装置は、さらに、ユーザの閲覧情報を蓄積し判定する閲覧情報判定部と、広告データを蓄積する広告データ蓄積部を備え、前記制御部は、前記閲覧情報判定部がユーザの閲覧情報を所定の評価基準に従って判定した判定結果に基づき、前記広告データ蓄積部に蓄積されている広告データを選択するものであってもよい。【００２６】
この構成により、電源ＯＦＦのタイミングでディスプレイ部に表示する広告情報を、ユーザの閲覧履歴を参照して情報処理装置が決定することができる。その結果、省電力性を維持しつつ、よりユーザの嗜好にあう妥当な情報をディスプレイ部に表示することができる。【００２７】
また、前記情報処理装置はさらに、通信網を介してサーバに情報を通知するサーバ通知部をさらに備え、前記制御部は、前記サーバ通知部を介して、前記電源ＯＦＦ判定部が、該装置への電力を前記所定の供給量以下に決定した場合に、前記ディスプレイ部に表示されている前記所定のデータが一意に特定できる情報をサーバに通知する機能を備えるものであってもよい。【００２８】
この構成により、情報処理装置に表示された情報をサーバで一元的に集計することができる。その結果、集計結果に基づいて、より妥当な情報をディスプレイ部に表示することができる。【００２９】
また、前記情報処理装置はさらに、ディスプレイ部に対して電力供給のある状態の表示と、電力供給のない状態の表示の差異から、電力供給のなかった時間を算出することができる経過時間算出部を備え、前記制御部は、前記サーバ通知部を介して、前記表示時間判定部が判定する電力供給のない時間もサーバに通知する機能を備えるものであってもよい。【００３０】
なお、前記所定の評価基準は、ユーザの閲覧時間を基準とした値であってもよい。【００３１】
なお、前記閲覧情報判定部は、現在前記ディスプレイ部に表示されている情報に基づいて判定を行い、前記制御部は、前記判定結果に基づいて前記広告データ蓄積部に蓄積されている広告データを選択するものであってもよい。【００３２】
なお、前記所定のデータとは、前記情報処理装置に格納されている各種コンテンツをユーザが利用乃至閲覧したか否かの情報であってもよい。【００３３】
なお、前記所定のデータとは、前記情報処理装置に格納されている各種コンテンツデータ一覧情報であってもよい。【００３４】
なお、前記所定のデータとは、前記ディスプレイ部に表示されているデータのうち一部乃至全てのデータを消去するためのデータであってもよい。【００３５】
また、上記の発明は、装置だけでなく情報処理装置の制御方法としても実現可能であることはいうまでもない。
【発明の効果】
【００３６】
情報処理装置は、電源ＯＦＦ時に適切な画面表示及び画面更新を実現することによって、ユーザの誤解がないようなユーザーインターフェース、乃至使い勝手のよいユーザーインターフェースを提供することが可能となる。【００３７】
また、ディスプレイ装置として電子ペーパーを備える情報処理装置において、省電力性と電池残量表示の妥当性とを両立させることができる。
【図面の簡単な説明】
【００３８】
【図１】図１は、本発明の実施の形態１に於ける情報処理装置の構成を示すブロック図である。
【図２】図２は、本発明の実施の形態１に於ける情報処理装置の外観図である。
【図３】図３は、本発明の実施の形態１に於ける管理テーブルで管理されるデータのデータ構造を示す図である。
【図４】図４は、本発明の実施の形態１に於ける情報処理装置の電源ＯＦＦ時におけるディスプレイ表示更新制御処理の流れを示すフローチャートである。
【図５】図５は、本発明の実施の形態１に於ける情報処理装置のタイマー設定時間経過後の処理の流れを示すフローチャートである。
【図６】図６は、本発明の実施の形態１に於ける情報処理装置の電池残量表示の更新を説明する第１の外観図である。
【図７】図７は、本発明の実施の形態１に於ける情報処理装置の電池残量表示の更新を説明する第２の外観図である。
【図８】図８は、本発明の実施の形態２に於ける情報処理装置の構成を示すブロック図である。
【図９】図９は、本発明の実施の形態２に於ける情報処理装置の取り扱うコンテンツとして、ニュース情報を扱う場合の画面構成例を説明する外観図である。
【図１０】図１０は、本発明の実施の形態２に於ける閲覧情報判定部が管理する閲覧情報のデータ構造の一例を示す図である。
【図１１】図１１は、本発明の実施の形態２に於ける情報処理装置の電源をＯＦＦにした時のディスプレイ表示更新制御の処理シーケンスを示すフローチャートである。
【図１２】図１２は、本発明の実施の形態２に於ける情報処理装置への広告データの表示例を示す外観図である。
【図１３】図１３は、本発明の実施の形態２に於ける情報処理装置にユーザによるニュース情報の閲覧結果を表示する一例を示す外観図である。
【図１４】図１４は、本発明の実施の形態２に於ける情報処理装置にニュースのダイジェスト画面を表示する一例を示す外観図である。
【図１５】図１５は、本発明の実施の形態３に於けるサーバ連携システムの構成の説明図である。
【図１６】図１６は、本発明の実施の形態３に於ける情報処理装置の構成を示したブロック図である。
【図１７】図１７は、本発明の実施の形態３に於ける情報処理装置の電源をＯＦＦにする時の、ディスプレイ部の表示を更新する制御および、サーバ通知制御の処理の流れを示すフローチャートである。
【図１８】図１８は、本発明の実施の形態３に於ける情報処理装置の電源がＯＮされた時のサーバ通知部１６０１の処理の流れを示すフローチャートである。
【図１９】図１９は、本発明の実施の形態４に於ける情報処理装置の構成を示すブロック図である。
【図２０】図２０は、本発明の実施の形態４に於ける情報処理装置が備えるディスプレイが有する電気泳動方式の電子ペーパーの具体的な構成を示す図である。
【図２１】図２１は、本発明の実施の形態４に於けるディスプレイの経過時間と、初期帯電量に対する現在の帯電量の割合の関係を示す図である。
【図２２】図２２は、本発明の実施の形態４に於ける情報処理装置の電源ＯＦＦ時における、ディスプレイの表示更新制御、サーバ通知制御及び経過時間算出制御の処理の流れを示すフローチャートである。
【図２３】図２３は、本発明の実施の形態４に於ける情報処理装置の電源ＯＮ時のサーバ通知部１６０１の処理の流れを示すフローチャートである。
【図２４】図２４は、本発明の実施の形態１〜４に於ける情報処理装置を実現するコンピュータシステムの一例を示す外観図である。
【図２５】図２５は、本発明の実施の形態１〜４に於ける情報処理装置を実現するコンピュータシステムのハードウェア構成を示すブロック図である。
【発明を実施するための形態】
【００３９】
（実施の形態１）
以下、本発明の実施の形態１を図面に基づいて詳細に説明する。
【００４０】
図１は、本発明の実施の形態による情報処理装置の構成を示したブロック図である。情報処理装置１００は、制御部１１０、ディスプレイ部１１１、残量データ生成部１１２、残量判定部１１３、電池部１１４、タイマー部１１５、電源ＯＦＦ判定部１１６、管理テーブル１１７を備える。
【００４１】
情報処理装置１００としては、例えば、携帯電話端末、電子辞書、電子書籍リーダをはじめとするモバイル用途のデジタル機器等が想定される。
【００４２】
制御部１１０は、情報処理装置１００内の各種動作制御を行う機能を備えており、ディスプレイ部１１１、残量データ生成部１１２、残量判定部１１３、電池部１１４、タイマー部１１５、電源ＯＦＦ判定部１１６、管理テーブル１１７の各種動作制御を行う機能を備えるハードウェア回路乃至ソフトウェアモジュールである。
【００４３】
ディスプレイ部１１１は、各種の情報を表示するディスプレイ機能を備えた電子ペーパーデバイスである。すなわち、ディスプレイ部１１１は、表示する情報を更新する場合には電池部１１４からの電力供給を必要とするが、一旦情報が表示された後には電池部１１４からの電力供給を必要としないメモリ特性の特徴を備えている。
【００４４】
電子ペーパーデバイスは、マイクロカプセル型電気泳動方式、コレステリック液晶方式などの方式のデバイスである。電子ペーパーデバイスの詳細構成についての説明はここでは割愛する。
【００４５】
残量データ生成部１１２は、ディスプレイ部１１１に表示する電池残量を表示するためのデータを生成する機能を備えている。図２は情報処理装置１００の外観の構成例を示している。残量データ生成部１１２は、図２に示されるような、左上の電池残量を示す画像を作成する機能を備えているソフトウェアモジュールである。
【００４６】
残量判定部１１３は、電池部１１４の電池残量（放電容量）を判定する機能を備えるハードウェア回路、又は、ソフトウェアモジュールである。
【００４７】
電池部１１４は、情報処理装置１００内の各モジュールに電力供給する機能を備える、一次電池、又は、二次電池である。
【００４８】
タイマー部１１５は、時計機能を備え、タイマーとしての機能を備えるハードウェア回路乃至ソフトウェアモジュールである。詳しく図示していないが、タイマー部１１５は、タイマーに設定した所定の時間経過後、情報処理装置１００から制御部１１０への電力の供給を開始するなど、情報処理装置１００の電源をＯＮにする機能を備えている。
【００４９】
電源ＯＦＦ判定部１１６は、情報処理装置１００の電源がＯＦＦに移行するか否かの判定を行う機能を備えるハードウェア回路、又は、ソフトウェアモジュールである。
【００５０】
管理テーブル１１７は、残量判定部１１３で判定される電池残量（放電容量）に対して電源ＯＮのときと電源ＯＦＦのときの情報処理装置１００が電池残量０になるまでに、それぞれ、どの程度の時間、駆動を持続できるのかの情報を管理する情報テーブルを保持する。
【００５１】
図３は管理テーブル１１７のデータ構造を示している。例えば、図３に示されるように、電池残量が９００［ｍＡｈ］の場合、電源がＯＮのときの情報処理装置１００の駆動可能時間は１１時間であり、電源がＯＦＦのときの情報処理装置１００の駆動可能時間（すなわち、自然放電時間）は、７００時間である。
【００５２】
このように、管理テーブル１１７は、電池残量と装置の駆動時間に関しての詳細な関連データを保持することができる。
【００５３】
次に、これら情報処理装置１００の電源がＯＦＦの時のディスプレイ表示の更新制御についてフローチャートを用いて説明する。図４は情報処理装置１００における装置の電源がＯＦＦの時のディスプレイ表示更新制御の処理の流れを示すフローチャートである。
【００５４】
（ステップＳ４０１）ユーザによって情報処理装置１００の電源スイッチがＯＦＦに設定される、或いは所定時間ユーザの操作がないため情報処理装置１００の電源をＯＦＦにする等の、情報処理装置１００の電源をＯＦＦにすべき状態か否かを電源ＯＦＦ判定部１１６が判定する。
【００５５】
（ステップＳ４０２）次に、制御部１１０は、残量判定部１１３から電池残量を取得する。制御部１１０は、管理テーブル１１７を参照し、取得した電池残量ではどのくらい電池が持続するのかを取得する。
【００５６】
（ステップＳ４０３）次に、制御部１１０は、ステップＳ４０２で得た電池残量、又は、電池持続時間を残量データ生成部１１２に渡し、電池残量の表示データを生成する。生成されたデータは、制御部１１０によってディスプレイ部１１１に表示される。
【００５７】
（ステップＳ４０４）次に、制御部１１０は、タイマー部１１５のタイマーを起動させる。このとき起動させるタイマーの設定値（次に情報処理装置１００の電源をＯＮにするまでの時間）は、ディスプレイ部１１１に表示される電池残量に応じて変更される。
【００５８】
例えば、図２に示したように５段階の表示で電池残量を表示される場合には、制御部１１０は、現在の電池残量から１段階容量が減るにはどの程度持続時間があるのかを算出して、タイマーを設定する。より具体的には、制御部１１０は、現在の電池の残容量が１０００であり、５段階表示の１段階下がった表示を行うまでの持続時間が２００時間であると判定した場合には、タイマーを２００時間に設定する。
【００５９】
（ステップＳ４０５）次に、制御部１１０は、情報処理装置１００の電源をＯＦＦに設定する。ここで、情報処理装置１００の電源をＯＦＦにするとは、情報処理装置１００の各種機能を実現する処理部への電池部１１４からの電力の供給を停止するなどの処理を意味する。ただし、前述のタイマー部１１５は停止させず、電力の供給を継続する。
【００６０】
以上のような処理によって、制御部１１０は、情報処理装置１００が備えるディスプレイ部１１１にシステムの電源ＯＦＦ時の電池残量を表示した後、情報処理装置１００の電源をＯＦＦにする。
【００６１】
次に、タイマー部１１５に設定された所定の時間が経過したのちの、情報処理装置１００の動作処理シーケンスについて図５を用いて説明する。
【００６２】
（ステップＳ５０１）タイマー部１１５は、設定された所定の時間が経過した後に、情報処理装置１００の電源をＯＮにして、情報処理装置１００を起動させる。このとき、タイマー部１１５は、情報処理装置１００の全ての機能を起動させるのではなく、最低限の動作を行うための機能のみを起動させてもよい。
【００６３】
（ステップＳ５０２）次に、制御部１１０は、残量判定部１１３から電池残量を取得する。次に、制御部１１０は、管理テーブル１１７を参照し、取得した電池残量から、あとどのくらい電池がもつのかを示す電池持続時間を取得する。
【００６４】
（ステップＳ５０３）次に、制御部１１０は、ディスプレイ部１１１に表示されている電池残量と、残量判定部１１３から取得した現在の電池残量とを用いて、表示されている電池残量を更新する必要があるか否かの判定を行う。制御部１１０は、電池残量表示を更新する必要がある場合には、ステップＳ５０４の処理を行う。一方、電池残量表示を更新する必要がない場合には、制御部１１０は、ステップＳ５０５の処理を行う。
【００６５】
具体的には、例えば図２に示されているように、ディスプレイ部１１１に電池残量が５段階で表示される場合であって、図３に示されているように、満充電時の電池残量が１０００ｍＡｈである場合には、電池残量が２００ｍＡｈ減る毎に、ディスプレイ部１１１に表示される電池残量を１段階減らすものとする。
【００６６】
すなわち、電池部１１４の電池残量が０ｍＡｈ、０ｍＡｈを超えて２００ｍＡｈ以下、２００ｍＡｈを超えて４００ｍＡｈ以下、４００ｍＡｈを超えて６００ｍＡｈ以下、６００ｍＡｈを超えて８００ｍＡｈ以下及び８００ｍＡｈを超えて１０００ｍＡｈ以下の場合、ディスプレイ部１１１に表示されるべき電池残量はそれぞれ、０段階、１段階、２段階、３段階、４段階、５段階に対応する表示となる。
【００６７】
したがって、制御部１１０は、残量判定部１１３から取得した電池残量に基づきディスプレイ部１１１に表示されるべき電池残量の段階が、現在ディスプレイ部１１１に表示されている電池残量の段階と異なるか否かを判定することとなる。
【００６８】
（ステップＳ５０４）制御部１１０は、電池残量、又は、電池持続時間を残量データ生成部１１２に渡し、電池残量に応じてディスプレイ部１１１に表示するための電池残量の表示データを生成する。生成されたデータはディスプレイ部１１１に表示する。
【００６９】
図６は制御部１１０によって更新された電池残量表示の例を示した図である。図２に示される電池残量表示から１段階電池残量が減っている表示例である。
【００７０】
（ステップＳ５０５）次に、制御部１１０は、タイマー部１１５に次回の起動時刻を設定し、タイマーを起動する。このときのタイマーの設定値は、電池残量に応じて制御部１１０が設定する。
【００７１】
（ステップＳ５０６）次に、制御部１１０は、情報処理装置１００の電源をＯＦＦに設定する。このときの電源ＯＦＦの処理は前述のステップＳ４０５で示した処理と同様である。
【００７２】
以上のように、情報処理装置１００の電源ＯＦＦ後も電池残量に応じて制御部１１０が情報処理装置１００の再起動を行い、ディスプレイの電池残量表示を更新することによって、常に正しい電池残量を表示することが可能となる。
【００７３】
電子ペーパー特性を備えるディスプレイ装置を備える機器において、上記のような処理によって、電子ペーパーが備える省電力性を損なうことなく、電池表示のみは常に正しい表示を保つことができる。すなわち、ディスプレイ装置として電子ペーパーを備える情報処理装置において、省電力性と表示情報の妥当性とを両立させることができる。
【００７４】
また、ユーザが装置の電源をＯＮにした際に電池残量がなかったといった状態を避けることができ、装置の使い勝手を向上させることができる。
【００７５】
なお、本発明の実施の形態で、情報処理装置１００の構成について説明したが、本発明は上記の実施の形態に限定されないのはもちろんである。本発明の趣旨を逸脱しない範囲で実施の形態を変更することができる。例えば、下記のような場合（変形例）も本発明に含まれる。
【００７６】
（１）上記の実施の形態では、制御部１１０が、電池の残量に応じてタイマー部１１５のタイマー時刻を設定する例を示したが、制御部１１０は、電池の容量にかかわらずタイマーを所定の値（例えば、１日ごとなど）に設定しても構わない。この場合、所定の時間毎に、制御部１１０が残量判定部１１３から電池残量を取得し、ディスプレイ部１１１に表示する電池残量表示を更新する。
【００７７】
（２）上記の実施の形態では、ユーザが情報処理装置１００の電源をＯＦＦにした後も、情報処理装置１００が電池残量に応じて更新される電池残量表示をディスプレイ部１１１に表示する例を示した。しかし、情報処理装置１００の電源をＯＦＦにした後の電池残量表示としてユーザが混乱しない電池残量の表示方法であれば、他の表示方法であってもよい。
【００７８】
例えば、情報処理装置１００の電源がＯＦＦになる直前に、ディスプレイ部１１１の電池残量表示のところに、あとどれくらい経過すると電池残量がなくなるのかを示すような表示を行ってもよい。
【００７９】
図７はその際のディスプレイ部１１１の表示例を示している。
【００８０】
図７に示されるように、ディスプレイ部１１１には、２０１０年１月３０日くらいに電池残量がなくなる旨が表示されている。つまり、電池の容量が所定の値よりも少なくなると予測される時間情報を、現時点からの経過時間で示す相対的な表示ではなく、絶対的な時間情報（例えば、カレンダーによる表示等）で、情報処理装置１００がディスプレイ部１１１に表示してもよい。
【００８１】
また、図示はしないが、情報処理装置１００の電源がＯＦＦになった日時の情報と、そのときの、電池残量の保持時間（電池があとどのぐらいもつかを示す時間）を、情報処理装置１００がディスプレイ部１１１に表示するような構成であってもよい。
【００８２】
なお、本実施の形態に係る情報処理装置１００は、残量データ生成部１１２を備えずともよい。その場合、例えば、ディスプレイ部１１１がいくつかの表示パターンを事前に記憶しており、表示パターンの種別を特定する信号を制御部１１０からディスプレイ部１１１へ送ることにより、残量データ生成部１１２を備えた場合と同様の効果が得られる。
【００８３】
また、本実施の形態に係る情報処理装置１００は、管理テーブル１１７を備えずともよい。その場合、例えば前述のように、制御部１１０は、電池の容量にかかわらずタイマーを所定の値に設定することが考えられる。その結果、所定の時間毎に制御部１１０が残量判定部１１３から電池残量を取得し、ディスプレイ部１１１に表示する電池残量表示を更新することで、残量管理テーブル１１７を備えた場合と同様の効果が得られる。
【００８４】
（実施の形態２）
以下、本発明の実施の形態２を図面に基づいて詳細に説明する。
【００８５】
図８は、本発明の実施の形態による情報処理装置１００の構成を示したブロック図である。情報処理装置１００は、制御部２１０、ディスプレイ部２１１、閲覧情報判定部２１２、電池部２１３、電源ＯＦＦ判定部２１４、広告データ蓄積部２１５を備える。
【００８６】
情報処理装置１００は、例えば、携帯電話端末、電子辞書、電子書籍リーダをはじめとするモバイル用途のデジタル機器等である。
【００８７】
制御部２１０は、情報処理装置１００内の各種動作制御を行う機能を備えており、ディスプレイ部２１１、閲覧情報判定部２１２、電池部２１３、電源ＯＦＦ判定部２１４の各種動作制御を行う。
【００８８】
ディスプレイ部２１１の構成は実施の形態１と同様であるため、ここでの詳細な説明は割愛する。
【００８９】
閲覧情報判定部２１２は、ユーザが閲覧した情報を蓄積・判定する機能を備えているソフトウェアモジュールである。図９は情報処理装置１００の取り扱うコンテンツとして、ニュース情報を扱う場合の画面構成例を示している。
【００９０】
図９では、情報処理装置１００は、ニュース情報の各ジャンル（経済、社会、国際、スポーツ、地方）のうち、国際ニュース情報を表示している。このようなニュース情報を扱う情報処理装置１００の場合、閲覧情報判定部２１２では、例えば、図１０に示されるように、ユーザによる各ジャンルの閲覧時間を管理する。図１０のような閲覧情報の場合、ニュース情報のうち国際ニュース情報が一番長い時間、ユーザによって閲覧されていることがわかる。
【００９１】
電池部２１３、電源ＯＦＦ判定部２１４の構成は実施の形態１と同様であるため、ここでの詳細な説明は割愛する。
【００９２】
広告データ蓄積部２１５は、ディスプレイ部２１１に表示する各種の広告データを蓄積する機能を備えている。
【００９３】
次に、本実施の形態に係る情報処理装置１００の電源ＯＦＦ時のディスプレイ表示更新制御についてフローチャートを用いて説明する。
【００９４】
図１１は情報処理装置１００の電源をＯＦＦにした時のディスプレイ表示更新制御の処理シーケンスを示すフローチャートである。
【００９５】
（ステップＳ１１０１）ユーザが情報処理装置１００の電源スイッチをＯＦＦに設定する、或いは所定時間ユーザが情報処理装置１００を操作していないために情報処理装置１００の電源をＯＦＦにする等、情報処理装置１００の電源をＯＦＦにすべき状態か否かを電源ＯＦＦ判定部２１４が判定する。
【００９６】
（ステップＳ１１０２）次に、制御部２１０は、閲覧情報判定部２１２からユーザの閲覧情報の判定結果を取得する。例えば、ニュース情報コンテンツを扱う場合には、各ジャンルのニュース情報のうち一番閲覧時間が長いジャンル情報として判定されたジャンルを取得する。
【００９７】
（ステップＳ１１０３）次に、制御部２１０は、ステップＳ１１０２で取得した情報をもとに、ディスプレイ部１１１に表示する広告データを広告データ蓄積部２１５から選択する。例えば、ニュース情報コンテンツを扱う場合には、取得されたジャンルに関連した広告データを選択し、選択した広告データを、ディスプレイ部２１１に表示する。
【００９８】
（ステップＳ１１０４）次に、制御部２１０は、情報処理装置１００の電源をＯＦＦに設定する。
【００９９】
図１２は上記の処理によって広告データが表示された情報処理装置１００の表示例を示した図である。例えば、図１０に示されるように各ジャンルのニュース情報のうち国際ニュース情報の閲覧時間が長い場合は、国際ニュース情報に関連する広告と予め対応付けられている英会話教室の広告データが選択され、表示されている。
【０１００】
以上のように電子ペーパー特性を備えるディスプレイ部２１１を備える情報処理装置１００の電源ＯＦＦ時に、ディスプレイ部２１１に表示する情報を適切に選択することによって、電源ＯＦＦ時もユーザに有用な効果的な情報を表示することが可能となる。本実施の形態のように、例えば、閲覧履歴に応じた広告情報を表示することで、情報処理装置１００は、ユーザ及び広告データ提供者の双方にとって効果的な情報を共有する方法として特に有効な手段となる。
【０１０１】
なお、本実施の形態では、情報処理装置１００の構成について説明したが、本発明は上記の実施の形態に限定されないのはもちろんである。本発明の趣旨を逸脱しない範囲で、実施の形態を変更することができる。例えば、下記のような場合（変形例）も本発明に含まれる。
【０１０２】
（１）上記の実施の形態では、閲覧情報として閲覧時間の長さに応じてディスプレイ部２１１に表示される広告データが選択される例を示したが、閲覧情報は上記の条件に限らない。
【０１０３】
制御部２１０は、閲覧回数や、直前に閲覧した情報などに応じて、電源ＯＦＦ時にディスプレイ部２１１へ表示する広告データを選択しても構わない。また、表示される広告データの優先度が予め決められていても、表示される広告データはランダムに選択されてもよい。すなわち、情報処理装置１００の電源ＯＦＦ時にディスプレイ上に情報を表示する方法であればどのような方法で表示されても構わない。
【０１０４】
（２）上記の実施の形態では、ディスプレイ部２１１に広告データが表示される例を示したが、ディスプレイ部２１１に表示されるデータは広告データでなくても構わない。
【０１０５】
情報処理装置１００がニュース情報を扱うような装置である場合、例えば、図１３に示されるように、ユーザによるニュース情報の閲覧結果を示すような情報をディスプレイ部２１１に表示しても構わない。
【０１０６】
図１３では、各種ジャンル（経済、社会、国際、スポーツ、地方）のトピック毎にユーザによって閲覧されたか否かを“既読”、“未読”の表示によって示している例である。
【０１０７】
さらには、図１４に示されるように、ニュース情報に関するダイジェスト表示画面を生成し、そのダイジェスト表示画面をディスプレイ部２１１に表示してもよい。
【０１０８】
図１４では、重要度の高い情報が大きい枠の領域で表示され、重要度が低くなるに従って枠が小さくなるような表示方法で示されるダイジェスト表示画面の表示例である。
【０１０９】
これらの例のように、ユーザが閲覧したか否かの情報や、格納しているコンテンツをまとめた情報や、ユーザがどこまで閲覧したかを示す情報などをディスプレイ部２１１に表示しても構わない。つまり、情報処理装置１００は、電源をＯＦＦにする際に、電子ペーパーとしての特性をもつディスプレイ部２１１に、各種の情報を表示したまま電源をＯＦＦするものであればよい。
【０１１０】
これにより、本実施の形態の情報処理装置１００は、電力消費を節約するとともに、利用者にとって有用な情報等をディスプレイ部２１１に提示することが可能となる。
【０１１１】
（３）上記の実施の形態では、情報処理装置１００が電源をＯＦＦにする時に広告情報を表示する例を示したが、実施の形態１で示すように、情報処理装置１００が内部にタイマー部を備えてもよい。
【０１１２】
具体的には、情報処理装置１００の電源がＯＦＦにされてから所定の時間が経過すると、タイマー部が情報処理装置１００の電源をＯＮにし、また、ディスプレイ部１１１に表示されている情報を更新するか否かの判定を制御部２１０が行い、判定の結果、必要に応じて表示されている情報を制御部２１０が更新してもよい。
【０１１３】
（４）上記の実施の形態では、情報処理装置１００が電源ＯＦＦ時に広告情報を表示する例を示したが、情報処理装置１００からの情報漏洩防止のため、情報処理装置１００の電源ＯＦＦ時には、ディスプレイ部２１１に表示されている表示を消去してもよい。
【０１１４】
（５）上記の実施の形態では、情報処理装置１００の広告データ蓄積部２１５に各種広告データを蓄積している例を示したが、その数は制限されない。多くの広告情報を蓄積するような不揮発性の記録媒体で広告データ蓄積部２１５が構成されてもよいし、１種類程度の広告データしか蓄積できないような構成かつ揮発性の記録媒体で広告データ蓄積部２１５が構成されてもよい。
【０１１５】
所定の手順で情報処理装置１００に格納された広告データが情報処理装置１００の電源ＯＦＦ時にディスプレイ部２１１に表示される構成であれば、情報処理装置１００に蓄積されている広告情報の数、記録媒体、入手のタイミングなどはどのような方法であっても構わない。
【０１１６】
(実施の形態３)
以下、本発明の実施の形態３を図面に基づいて詳細に説明する。
【０１１７】
図１５（Ａ）は、本発明の実施の形態による情報処理装置１００と配信サーバ９０１とのサーバ連携システムの概要を示した構成図である。
【０１１８】
インターネット網や放送網などの各種の通信網９０２を介して、コンテンツデータを初めとする各種データが配信サーバ９０１から情報処理装置１００に配信される。
【０１１９】
例えば、書籍データのようなコンテンツデータは、図１５（Ｂ）のシーケンス図に示されるように、情報処理装置１００から配信サーバ９０１への配信要求に応じて、配信サーバ９０１から情報処理装置１００へ配信される。
【０１２０】
また例えば、情報処理装置１００による広告データの受信や、配信サーバ９０１への表示情報通知については、図１５（Ｃ）のシーケンス図に示されるように行われる。すなわち、配信サーバ９０１から情報処理装置１００へ広告データが配信されると、情報処理装置１００は配信された広告データを表示する。次に、情報処理装置１００は、表示した広告データの表示情報（どのような広告データを表示しているのかを示す情報）を配信サーバ９０１に通知する。
【０１２１】
本実施の形態に係る情報処理装置１００は、このように配信サーバ９０１と連携を行うシステムである。以下、より詳細に説明する。
【０１２２】
図１６は情報処理装置１００の構成を示したブロック図である。情報処理装置１００は、制御部２１０、ディスプレイ部２１１、閲覧情報判定部２１２、電池部２１３、電源ＯＦＦ判定部２１４、広告データ蓄積部２１５、サーバ通知部１６０１を備える。
【０１２３】
本実施の形態に係る情報処理装置１００としては、例えば、携帯電話端末、電子辞書、電子書籍リーダをはじめとするモバイル用途のデジタル機器等が想定される。
【０１２４】
制御部２１０は、情報処理装置１００内の各種動作制御を行う機能を備えており、ディスプレイ部２１１、閲覧情報判定部２１２、電池部２１３、電源ＯＦＦ判定部２１４、サーバ通知部１６０１の各処理部を制御する。
【０１２５】
ディスプレイ部２１１、閲覧情報判定部２１２、電池部２１３、電源ＯＦＦ判定部２１４の構成は実施の形態２と同様であるため、ここでの詳細な説明は割愛する。
【０１２６】
サーバ通知部１６０１は、ディスプレイ部２１１に表示された情報をサーバに通知する機能（サーバ通知機能）を備えている。より具体的には、電力が供給されていない間に、メモリ特性のあるディスプレイ部２１１にどのようなデータが表示されていたのかを、有線・無線の通信網を介して配信サーバ９０１に通知する機能を備えている。
【０１２７】
このサーバ通知機能について、図１７及び図１８を用いて説明する。図１７は情報処理装置１００の電源をＯＦＦにする時に、ディスプレイ部２１１の表示を更新する制御および、配信サーバ９０１へのサーバ通知制御の処理の流れを示すフローチャートである。
【０１２８】
図１７に示される処理シーケンスのうち、ステップＳ１７０１を除く処理は、図１１の処理シーケンスと同じであるため、詳細な説明割愛する。ここでは、ステップＳ１７０１について説明する。
【０１２９】
（ステップＳ１７０１）サーバ通知部１６０１は、ステップＳ１１０３でディスプレイ部２１１に表示された情報に対応する表示データ情報を、内部に保持する不揮発性メモリのメモリ領域などに記録しておく。
【０１３０】
次に、図１８を用いて情報処理装置１００の電源がＯＮされた時のサーバ通知部１６０１の処理シーケンスを説明する。
【０１３１】
（ステップＳ１８０１）図示はしていないが、ユーザによって電源ボタンが押されるなどの操作によって、情報処理装置１００の電源がＯＮになり、情報処理装置１００が機能する状態になる。
【０１３２】
（ステップＳ１８０２）次に、サーバ通知部１６０１は、内部に保持していた情報を配信サーバ９０１に通知するため、配信サーバ９０１との通信を開始する。配信サーバ９０１と情報処理装置１００の通信に関しては、通信キャリア独自のプロトコル、インターネットを通じた所定のプロトコルなど様々な通信方法があるが、ここでの詳細な説明は割愛する。
【０１３３】
（ステップＳ１８０３）次に、サーバ通知部１６０１が、記録している表示データ情報を配信サーバ９０１へ通知することに成功した場合には、サーバ通知部１６０１の処理は終了する。
【０１３４】
一方、サーバ通知部１６０１が、配信サーバ９０１へ表示データ情報を通知することに失敗した場合には、ステップＳ１８０４の処理に移る。
【０１３５】
（ステップＳ１８０４）サーバ通知部１６０１から配信サーバ９０１への情報の通知が失敗した場合には、サーバ通知部１６０１は、ディスプレイ部２１１に表示されている情報を、再度、サーバ通知部１６０１内部に保持する不揮発性メモリなどに記録する。その後、サーバ通知部１６０１は、再度、配信サーバ９０１へ表示データ情報を通知するために、ステップＳ１８０２の処理に移る。
【０１３６】
なお、このとき、サーバ通知部１６０１は、所定時間の間隔をあけてから、再度サーバへ表示データ情報を通知するためにステップＳ１８０２の処理を行う。
【０１３７】
このようにしてサーバに通知される表示データ情報とは、ディスプレイ部２１１に表示された情報を一意に特定できる情報であり、例えば、広告情報の場合であれば、その広告を一意に特定可能なＩＤ情報のようなものである。
【０１３８】
以上により、ディスプレイ部２１１に電力が供給されていない状態のときに、どのような情報がディスプレイ部２１１に表示されていたのかを、情報処理装置１００は、配信サーバ９０１に通知することができる。また、情報処理装置１００の電源ＯＦＦ時に、電子ペーパー特性を有するディスプレイ部２１１に表示されていた表示データ情報を配信サーバ９０１に通知することによって、配信サーバ９０１側で電源ＯＦＦ時の端末での表示情報を詳細に把握することができる。
【０１３９】
なお、本実施の形態で、情報処理装置１００の構成について説明したが、本発明は上記の実施の形態に限定されないのはもちろんである。本発明の趣旨を逸脱しない範囲で、実施の形態を変更することができる。例えば、下記のような場合（変形例）も本発明に含まれる。
【０１４０】
（１）上記の実施の形態では、情報処理装置１００から配信サーバ９０１への表示データ情報の通知は、情報処理装置１００の電源がＯＮになった際に行う例を示したが、そのタイミングは上記の条件に限定されない。例えば、情報処理装置１００の電源がＯＦＦになる際に表示データ情報を通知してもよい。
【０１４１】
（２）上記の実施の形態では、情報処理装置１００から配信サーバ９０１への表示データ情報の通知に失敗した際には、サーバ通知部１６０１内部の不揮発性のメモリに表示データ情報を記録して、所定時間後、再通知のためにサーバ通知部１６０１から配信サーバ９０１への通信処理を行う例を示した。しかし、配信サーバ９０１への再通知の方法はこれに限定されない。
【０１４２】
例えば、所定時間経過した後ではなく、情報処理装置１００の電源がＯＦＦされる際の直前のタイミングであってもよい。また、情報処理装置１００の電源がＯＦＦされる時に配信サーバ９０１へ表示データ情報を通知する場合であって、通知に失敗した場合には、情報処理装置１００の電源がＯＮされた時に、サーバ通知部１６０１が再通知のためのサーバ通信処理を行うようなシーケンスであってもよい。
【０１４３】
このように、情報処理装置１００から配信サーバ９０１に、情報処理装置１００の電源がＯＦＦになっているときにディスプレイ部２１１に表示されている情報を通知できれば、どのような方法であっても構わない。
【０１４４】
（３）上記の実施の形態では、電力供給がない状態でディスプレイ部２１１に表示されている情報が、例えば広告情報の場合、その情報を一意に特定できるものとして、ＩＤ情報のような情報である表示データ情報をサーバ通知部１６０１から配信サーバ９０１へ通知する例を示したが、通知する情報はこれに限定されない。
【０１４５】
ディスプレイ部２１１に表示されている情報をそのままサーバに送付するような方法であっても構わない。すなわち、情報処理装置１００が備えるディスプレイ部２１１に表示されている情報を識別できるものであれば、どのような情報をサーバ通知部１６０１から配信サーバ９０１に通知してもよい。
【０１４６】
（実施の形態４）
以下、本発明の実施の形態４を図面に基づいて詳細に説明する。
【０１４７】
図１９は本発明の実施の形態による情報処理装置１００の構成を示したブロック図である。情報処理装置１００は、制御部２１０、ディスプレイ部２１１、閲覧情報判定部２１２、電池部２１３、電源ＯＦＦ判定部２１４、広告データ蓄積部２１５、サーバ通知部１６０１、経過時間算出部１９０１を備える。
【０１４８】
本実施の形態における情報処理装置１００としては、例えば、携帯電話端末、電子辞書、電子書籍リーダをはじめとするモバイル用途のデジタル機器等が想定される。
【０１４９】
制御部２１０は、情報処理装置１００内の各種動作制御を行う機能を備えており、ディスプレイ部２１１、閲覧情報判定部２１２、電池部２１３、電源ＯＦＦ判定部２１４、サーバ通知部１６０１、経過時間算出部１９０１の各種制御を行う。
【０１５０】
ディスプレイ部２１１は、メモリ特性のある電子ペーパーであり、前述のような電気泳動方式の場合、極版間に電圧を印加することで帯電粒子等の表示素子を制御する方法で構成されるディスプレイである。
【０１５１】
図２０は、電気泳動方式の具体的な構成を示した図である。電気泳動方式は、透明電極２００１と電極２００４の間に着色された帯電粒子２００２と絶縁性溶液２００３を封入し、電極間に電圧を印加し帯電粒子２００２を電気泳動させることで表示を形成する。
【０１５２】
帯電粒子が負に帯電しているとすると、正電圧を印加すると（Ａ）のように、帯電粒子２００２が表面側に移動することによって、表面色は帯電粒子２００２色になる。
【０１５３】
一方、負電圧を印加すると（Ｂ）のように、帯電粒子２００２は表面から遠ざかり、表示色は絶縁性溶液２００３色になる。
【０１５４】
また、帯電粒子２００２は電圧印加をやめても静電力等により電極上にとどまるが、電極間の帯電が、時間の経過とともに放電されていくと、透明電極２００１の拘束力を受けなくなる。そのため、一定期間を経過すると、電子ペーパー表面の表示が変化する（表示が薄くなったりする）。
【０１５５】
また、電極間への印加電圧が大きければ、大きいほど電極間の帯電量は大きくなる。そのため、初期の電極対間の電位差と一定時間経過した後の電極対間の残留電位差を比較することによって、どのくらいの時間、電極に電圧が印加されていないかを算出することができる。図２１は経過時間と、初期帯電量に対する現在の帯電量の割合の関係を示す図である。
【０１５６】
経過時間算出部１９０１は、初期の電極間への印加電圧の情報と、上記図２１で示すような電位差から経過時間を算出することができるベースデータとを保持している。
【０１５７】
これにより、経過時間算出部１９０１は、現在の電極対間の電位差から、ディスプレイ部２１１にどの程度の時間、電圧が印加されないまま、広告データ等の情報が表示されているのかを示す経過時間を算出する。
【０１５８】
サーバ通知部１６０１は、ディスプレイ部２１１に表示されている情報を識別できる情報（表示データ情報）と、上記経過時間算出部１９０１により算出された経過時間とをサーバに通知する機能を備える。
【０１５９】
情報処理装置１００のそれ以外の構成である、閲覧情報判定部２１２、電池部２１３、電源ＯＦＦ判定部２１４の機能は実施の形態３と同じであるので、ここでの説明は割愛する。
【０１６０】
本実施の形態に係る情報処理装置１００において行われる経過時間の算出処理について、フローチャートを用いて説明する。
【０１６１】
図２２は、情報処理装置１００の電源ＯＦＦ時における、ディスプレイの表示更新制御、サーバ通知制御及び経過時間算出制御の処理の流れを示すフローチャートである。
【０１６２】
図２２に示される各処理のうち、ステップＳ２２０１を除く処理は、図１７に示された処理と同じであるため、詳細な説明は割愛する。よって、ここでは、ステップＳ２２０１の処理について説明する。
【０１６３】
（ステップＳ２２０１）経過時間算出部１９０１は、ステップＳ１１０３でディスプレイ部２１１にデータを表示した際の印加電圧の情報を、内部に保持する不揮発性メモリなどに記録しておく。
【０１６４】
次に、図２３を用いて情報処理装置１００の電源ＯＮ時のサーバ通知部１６０１の処理の流れを説明する。
【０１６５】
（ステップＳ２３０１）図示はしていないが、ユーザによって電源ボタンが押されるなどの操作によって、情報処理装置１００の電源がＯＮになり、情報処理装置１００内の各処理部が機能する状態になる。
【０１６６】
（ステップＳ２３０２）次に、サーバ通知部１６０１は、内部に記録していた表示データ情報と、経過時間算出部１９０１が算出した経過時間とを配信サーバ９０１に通知するため、配信サーバ９０１との通信を開始する。
【０１６７】
配信サーバ９０１とサーバ通知部１６０１の通信方法には、通信キャリア独自のプロトコル、インターネットを通じた所定のプロトコルなど様々な通信方法があるが、ここでの詳細な説明は割愛する。
【０１６８】
（ステップＳ２３０３）次に、サーバ通知部１６０１が、表示データ情報と経過時間とを配信サーバ９０１へ通知することに成功した場合には、情報処理装置１００は、そのまま、サーバ通知部１６０１の処理を終了する。
【０１６９】
一方、配信サーバ９０１への通知が失敗した場合には、ステップＳ２３０４の処理に移る。
【０１７０】
（ステップＳ２３０４）配信サーバ９０１への情報の通知が失敗した場合には、サーバ通知部１６０１は、ディスプレイ部２１１に表示されている表示データ情報と、経過時間算出部１９０１が算出した経過時間とを、再度、サーバ通知部１６０１内部に保持する不揮発性のメモリなどに記録する。
【０１７１】
その後、サーバ通知部１６０１は、記録した情報を再度配信サーバ９０１へ通知するために、ステップＳ２３０２の処理に移る。なお、このとき、サーバ通知部１６０１は、所定時間、間隔をあけてから、再度配信サーバ９０１への通知をするためにステップＳ２３０２の処理を行う。
【０１７２】
このようにして、本実施の形態に係る情報処理装置１００は、ディスプレイ部２１１に電力が供給されていない状態のときに、どのような情報をどれくらいの間表示していたのかを配信サーバ９０１に通知することができる。
【０１７３】
また、電子ペーパーを用いたディスプレイ部２１１を備える情報処理装置１００の電源ＯＦＦ時に、ディスプレイ部２１１に表示された情報とその経過時間とをサーバ通知部１６０１が配信サーバ９０１に通知することによって、配信サーバ９０１側で情報処理装置１００に表示された情報を詳細に把握することができる。
【０１７４】
なお、本発明は上記の実施の形態に限定されないのはもちろんである。本発明の趣旨を逸脱しない範囲で、実施の形態を変更することができる。例えば、下記のような場合（変形例）も本発明に含まれる。
【０１７５】
（１）上記の実施の形態では、情報処理装置１００から配信サーバ９０１への通知は、情報処理装置１００の電源がＯＮされた際に、ディスプレイ部２１１に表示されていた情報と、経過時間とを、サーバ通知部１６０１が配信サーバ９０１に通知する例を示したが、そのタイミングなどは上記実施の形態には限定されない。
【０１７６】
サーバ通知部１６０１は、情報処理装置１００の電源がＯＦＦにされた際にディスプレイ部２１１に表示されていた情報を配信サーバ９０１へ通知し、情報処理装置１００の電源がＯＮされた際に、経過時間を配信サーバ９０１へ通知してもよい。
【０１７７】
また、配信サーバ９０１への通知が失敗した際の再通知を行うタイミングも、上記実施の形態には限定されない。すなわち、ディスプレイ部２１１に表示されていた情報と、その情報が表示されていた経過時間とをサーバ通知部１６０１から配信サーバ９０１へ通知できる方法であれば、どのような方法であっても構わない。
【０１７８】
（２）上記の実施の形態では、経過時間算出部１９０１はディスプレイ部２１１の残留電位差から経過時間を算出する例を示したが、経過時間を算出する方法はこれに限定されない。
【０１７９】
例えば、情報処理装置１００は、電源ＯＦＦ時に、ディスプレイ部２１１へ所定フォーマットなどで電源がＯＦＦにされた時刻を表示（記録）した後、情報処理装置１００の電源がＯＮされた時には経過時間算出部１９０１が備えるセンサによって、ディスプレイ部２１１の表示から電源ＯＦＦ時の時刻を取得することが考えられる。その後、経過時間算出部１９０１は、センサによって取得した時刻情報と現在の時刻とから経過時間を判定してもよい。
【０１８０】
またさらに、実施の形態１乃至４に共通する、例えば以下のような場合も本発明に含まれる。
【０１８１】
（１）上記の実施の形態では、情報処理装置１００の電源をＯＦＦにする例を示したが、各機能やデバイスが省電力モード機能を備えるのであれば、電源のＯＦＦに代わって、省電力モードへの移行を用いても構わない。また、電源のＯＦＦに代わって、各機能処理部やデバイスのうち必要なものだけに電力供給を行うようなモードを用いても構わない。
【０１８２】
すなわち、情報処理装置１００全体の消費電力が低減するモードへ移行する処理であればよい。
【０１８３】
（２）また、実施の形態１に示したディスプレイ部１１１に表示される電池残量表示の更新と、実施の形態２、３、４に示したディスプレイ部１１１の主な表示内容の更新とを組み合わせて実施してもよい。
【０１８４】
（３）上記の実施の形態では、ディスプレイ部１１１及び２１１に電子ペーパーのようなメモリ特性を備えるデバイスを用いた場合の例について示したが、ディスプレイ部１１１及び２１１が別の特性を備えるデバイスであってもよい。
【０１８５】
すなわち、通常状態から省電力又は電源ＯＦＦモードに移行する際に、画面情報を更新する情報処理装置１００であれば、どのような特性のデバイスを用いたディスプレイ部１１１及び２１１を備えていてもよい。
【０１８６】
なお、実施の形態１〜４で説明した情報処理装置１００は、コンピュータにより実現することが可能である。図２４を参照して、情報処理装置１００は、コンピュータ３４と、コンピュータ３４に指示を与えるためのキーボード３６及びマウス３８と、コンピュータ３４の演算結果等の情報を提示するためのディスプレイ３２と、コンピュータ３４で実行されるプログラムを読み取るためのＣＤ−ＲＯＭ（Compact Disc-Read Only Memory）装置４０及び通信モデム（図示せず）とを含む。
【０１８７】
情報処理装置１００が行う処理であるプログラムは、コンピュータで読取可能な媒体であるＣＤ−ＲＯＭ４２に記憶され、ＣＤ−ＲＯＭ装置４０で読み取られる。又は、コンピュータネットワークを通じて通信モデム５２で読み取られる。
【０１８８】
図２５は、情報処理装置１００を実現するコンピュータシステムのハードウェア構成を示すブロック図である。コンピュータ３４は、ＣＰＵ（Central Processing Unit）４４と、ＲＯＭ（Read Only Memory）４６と、ＲＡＭ（Random Access Memory）４８と、ハードディスク５０と、通信モデム５２と、バス５４とを含む。
【０１８９】
ＣＰＵ４４は、ＣＤ−ＲＯＭ装置４０又は通信モデム５２を介して読み取られたプログラムを実行する。ＲＯＭ４６は、コンピュータ３４の動作に必要なプログラムやデータを記憶する。ＲＡＭ４８は、プログラム実行時のパラメタなどのデータを記憶する。ハードディスク５０は、プログラムやデータなどを記憶する。通信モデム５２は、コンピュータネットワークを介して他のコンピュータとの通信を行う。バス５４は、ＣＰＵ４４、ＲＯＭ４６、ＲＡＭ４８、ハードディスク５０、通信モデム５２、ディスプレイ３２、キーボード３６、マウス３８及びＣＤ−ＲＯＭ装置４０を相互に接続する。
【０１９０】
さらに、上記の各装置を構成する構成要素の一部又は全部は、１個のシステムＬＳＩ（Large Scale Integration：大規模集積回路）から構成されているとしてもよい。システムＬＳＩは、複数の構成部を１個のチップ上に集積して製造された超多機能ＬＳＩであり、具体的には、マイクロプロセッサ、ＲＯＭ、ＲＡＭなどを含んで構成されるコンピュータシステムである。ＲＡＭには、コンピュータプログラムが記憶されている。マイクロプロセッサが、コンピュータプログラムに従って動作することにより、システムＬＳＩは、その機能を達成する。
【０１９１】
さらにまた、上記の各装置を構成する構成要素の一部又は全部は、各装置に脱着可能なＩＣカード又は単体のモジュールから構成されているとしてもよい。ＩＣカード又はモジュールは、マイクロプロセッサ、ＲＯＭ、ＲＡＭなどから構成されるコンピュータシステムである。ＩＣカード又はモジュールは、上記の超多機能ＬＳＩを含むとしてもよい。マイクロプロセッサが、コンピュータプログラムに従って動作することにより、ＩＣカード又はモジュールは、その機能を達成する。このＩＣカード又はこのモジュールは、耐タンパ性を有するとしてもよい。
【０１９２】
また、本発明は、上記に示す方法であるとしてもよい。また、これらの方法をコンピュータにより実現するコンピュータプログラムであるとしてもよいし、前記コンピュータプログラムからなるデジタル信号であるとしてもよい。
【０１９３】
さらに、本発明は、上記コンピュータプログラム又は上記デジタル信号をコンピュータ読み取り可能な記録媒体、例えば、フレキシブルディスク、ハードディスク、ＣＤ−ＲＯＭ、ＭＯ、ＤＶＤ、ＤＶＤ−ＲＯＭ、ＤＶＤ−ＲＡＭ、ＢＤ（Blu-ray Disc（登録商標））、ＵＳＢメモリ、ＳＤカードなどのメモリカード、半導体メモリなどに記録したものとしてもよい。また、これらの記録媒体に記録されている上記デジタル信号であるとしてもよい。
【０１９４】
また、本発明は、上記コンピュータプログラム又は上記デジタル信号を、電気通信回線、無線又は有線通信回線、インターネットを代表とするネットワーク、データ放送等を経由して伝送するものとしてもよい。
【０１９５】
また、本発明は、マイクロプロセッサとメモリを備えたコンピュータシステムであって、上記メモリは、上記コンピュータプログラムを記憶しており、上記マイクロプロセッサは、上記コンピュータプログラムに従って動作するとしてもよい。
【０１９６】
また、上記プログラム又は上記デジタル信号を上記記録媒体に記録して移送することにより、又は上記プログラム又は上記デジタル信号を、上記ネットワーク等を経由して移送することにより、独立した他のコンピュータシステムにより実施するとしてもよい。
【０１９７】
さらに、上記実施の形態及び上記変形例をそれぞれ組み合わせるとしてもよい。
【０１９８】
今回開示された実施の形態はすべての点で例示であって制限的なものではないと考えられるべきである。本発明の範囲は上記した説明ではなくて請求の範囲によって示され、請求の範囲と均等の意味及び範囲内でのすべての変更が含まれることが意図される。
【産業上の利用可能性】
【０１９９】
本発明にかかる情報処理装置及びその制御方法では、情報処理装置の電源ＯＦＦ時に、電子ペーパーによる表示出力装置を適切な情報表示に更新することによって、省電力性と表示情報の妥当性とを両立させ、かつ、ユーザにとって使い勝手のよいユーザーインターフェースを提供することができる。
【符号の説明】
【０２００】
３２  ディスプレイ
３４  コンピュータ
３６  キーボード
３８  マウス
４０  ＣＤ−ＲＯＭ装置
４２  ＣＤ−ＲＯＭ
４４  ＣＰＵ
４６  ＲＯＭ
４８  ＲＡＭ
５０  ハードディスク
５２  通信モデム
５４  バス
１００  情報処理装置
１１０、２１０  制御部
１１１、２１１  ディスプレイ部
１１２  残量データ生成部
１１３  残量判定部
１１４、２１３  電池部
１１５  タイマー部
１１６、２１４  電源ＯＦＦ判定部
１１７  管理テーブル
２１２  閲覧情報判定部
２１５  広告データ蓄積部
９０１  配信サーバ
９０２  通信網
１６０１  サーバ通知部
１９０１  経過時間算出部
２００１  透明電極
２００２  帯電粒子
２００３  絶縁性溶液
２００４  電極
【図１】
2011001671.tif 000003
【図２】
2011001671.tif 000004
【図３】
2011001671.tif 000005
【図４】
2011001671.tif 000006
【図５】
2011001671.tif 000007
【図６】
2011001671.tif 000008
【図７】
2011001671.tif 000009
【図８】
2011001671.tif 000010
【図９】
2011001671.tif 000011
【図１０】
2011001671.tif 000012
【図１１】
2011001671.tif 000013
【図１２】
2011001671.tif 000014
【図１３】
2011001671.tif 000015
【図１４】
2011001671.tif 000016
【図１５】
2011001671.tif 000017
【図１６】
2011001671.tif 000018
【図１７】
2011001671.tif 000019
【図１８】
2011001671.tif 000020
【図１９】
2011001671.tif 000021
【図２０】
2011001671.tif 000022
【図２１】
2011001671.tif 000023
【図２２】
2011001671.tif 000024
【図２３】
2011001671.tif 000025
【図２４】
2011001671.tif 000026
【図２５】
2011001671.tif 000027
【手続補正書】
【提出日】平成23年2月18日(2011.2.18)
【手続補正１】
【補正対象書類名】明細書
【補正対象項目名】全文
【補正方法】変更
【補正の内容】
【発明の詳細な説明】
【技術分野】
【０００１】
本発明は、表示出力機能として電子ペーパーの特性を備えたディスプレイ装置を備える、持ち運び可能な情報処理装置、及び当該装置の制御方法に関する。
【背景技術】
【０００２】
パソコン、携帯電話端末、スマートフォン、ゲーム端末、オーディオプレーヤ、ビデオプレーヤなど各種のモバイル用途の情報処理装置における表示出力装置として、従来、所謂液晶ディスプレイを用いたものが広く一般的に普及していた。
【０００３】
しかし、近年これらの各種情報処理装置の中には、表示出力装置として所謂電子ペーパーといわれる表示出力装置を備えたものも普及してきている。
【０００４】
電子ペーパーとは、非特許文献１では次のように定義されている。
【０００５】
「印刷物の代替を狙い文字の読みやすい表示を提供する静止画重視の電子媒体の概念であり、一般に反射型でメモリ特性をもつ表示技術により実現される。」
【０００６】
電子ペーパーは、画面の表示更新時には電力を供給する必要があるものの、一旦表示を更新した後は電力を供給する必要がないという特性を備えるデバイスである。つまり、液晶ディスプレイのように、表示中、常に電力供給が必要な表示出力装置に比べて、電子ペーパーは、低消費電力化が可能である。
【０００７】
電子ペーパーを実現する具体的なデバイスとしてはマイクロカプセル型電気泳動方式、コレステリック液晶方式などの方式を搭載した情報処理装置があるが、その他の方式も含めて様々な用途での利用が広がっている（例えば、非特許文献１参照）。
【０００８】
モバイル用途で使用する各種情報処理装置では、一般的に搭載する各機能やデバイスの消費電力を低減させることが利便性の向上のために重要である。前述のような表示出力装置に電子ペーパー機能を備えたデバイスを使用した場合には、低消費電力化に有効な手段となり得る。例えば特許文献１では、電子ペーパーを使用した情報配信システムに関する技術が公開されている。
【先行技術文献】
【特許文献】
【０００９】
【特許文献１】特開２００７−１７２２０７号公報
【非特許文献】
【００１０】
【非特許文献１】「電子材料」編集部、「電子材料２００８年５月号別冊  電子ディスプレイ技術２００８」、工業調査会、平成２０年４月８日、ｐ．５５
【発明の概要】
【発明が解決しようとする課題】
【００１１】
電子ペーパーのようなメモリ特性を持つ表示技術の場合、一旦画面の表示更新を行った後は、表示を持続させるための電力を供給する必要がない。したがって、通常は、情報処理装置の電源がＯＦＦになった後では電子ペーパーの表示は更新されない。そのため、電子ペーパーに表示されている内容が電源をＯＦＦした後に妥当ではなくなる場合がある。しかし、常に表示を更新するため電源をＯＮにしたままでは、省電力性という電子ペーパーの利点が活かすことができない。よって、省電力性と表示情報の妥当性を両立させることが困難であった。
【００１２】
特に、特許文献１では情報処理装置の電池残量に関して、表示出力装置に表示する技術も開示されている。しかし、一般に装置に装着された電池は、自然放電などにより、長時間放置しておくとその電池残量は少なくなる。
【００１３】
そのため、電子ペーパーを用いた表示出力装置には電池残量が十分にある旨の表示がされていても、ユーザが装置の電源スイッチを入れてみると装置の電池残量がない場合が生じる。
【００１４】
すなわち、従来の情報処理装置では、電子ペーパーの省電力性を活かしつつ、妥当な電池残量を表示することが困難であるという課題があった。また、その結果、ユーザの誤解がないようなユーザーインターフェース、乃至使い勝手のよいユーザーインターフェースを実現することが困難であるという課題があった。
【００１５】
そこで、本発明では、上記問題点に鑑み、表示出力装置としての電子ペーパーを備えた情報処理装置において、装置の電源ＯＦＦ時に、電池残量表示として適切な画面表示に更新する情報処理装置、及び適切な動作制御方法を提供することを目的とする。
【課題を解決するための手段】
【００１６】
そこで本出願のある局面に係る情報処理装置は、該装置へ電力を供給する電池部と、前記電池部が保持する電池残量を判定する残量判定部と、電力供給がない状態で表示内容を継続して保持するメモリ特性のあるディスプレイ部と、前記電池部から該装置への電力供給を所定の供給量以下に決定する電源ＯＦＦ判定部と、設定した所定時間に前記電池部から該装置への電力供給開始を制御するタイマー部と、前記電源ＯＦＦ判定部が該装置への電力を前記所定の供給量以下に決定した場合に、前記タイマー部へ前記所定時間を前記残量判定部の電池残量に基づいて設定させるとともに、前記電池部から該装置への電力供給を所定の供給量以下にし、前記タイマー部により該装置への電力供給が開始された場合に、前記残量判定部が判定する電池残量に基づいて前記ディスプレイ部に電池残量の情報を表示する制御部と、を備えるものである。
【００１７】
この構成により、ディスプレイ部の表示を更新するタイミングにのみ情報処理装置の電源をＯＮにすることで、電池残量の表示を最新のものに更新し続けることができる。
【００１８】
その結果、ディスプレイ装置として電子ペーパーを備える情報処理装置において、省電力性と電池残量表示の妥当性とを両立させることができる。さらに、電源ＯＦＦ時に適切な画面表示及び画面更新を実現することによって、ユーザの誤解がないようなユーザーインターフェース、乃至使い勝手のよいユーザーインターフェースを提供することが可能となる。
【００１９】
また、前記情報処理装置はさらに、管理テーブルを保持し、前記制御部は、前記残量判定部から取得される電池残量を基に前記管理テーブルを参照し、参照した値に従って前記タイマー部を設定する所定の時間を設定するものであってもよい。
【００２０】
この構成により、次に電池残量表示を更新すべき時刻をより正確に知ることができる。よって、電池残量の表示を更新する必要がないにもかかわらず情報処理装置の電源をＯＮにするケースを減らし、より省電力性を高めることができる。
【００２１】
また、情報処理装置は、電力供給がない状態で、表示内容を継続して保持する、メモリ特性のあるディスプレイ部と、該装置への電力供給を所定の供給量以下に決定する電源ＯＦＦ判定部と、前記電源ＯＦＦ判定部が、該装置への電力を前記所定の供給量以下に決定した場合に、前記ディスプレイ部へ所定のデータを表示し、該装置への電力供給を所定の供給量以下に設定する制御部と、を備えるものであっても良い。
【００２２】
この構成により、電源をＯＦＦするタイミングでユーザにとって有用な情報をディスプレイ部に表示することができる。その結果、なにも表示されないで電源がＯＦＦされる場合と比較し、省電力性を保ちつつ、ディスプレイ部に妥当な情報を表示することができる。
【００２３】
なお、前記所定のデータとは前記ディスプレイ部に表示されている電池残量のデータの表示を所定の表示に更新するものであってもよい。
【００２４】
なお、前記所定のデータとは、広告データであってもよい。
【００２５】
なお、前記情報処理装置は、さらに、ユーザの閲覧情報を蓄積し判定する閲覧情報判定部と、広告データを蓄積する広告データ蓄積部を備え、前記制御部は、前記閲覧情報判定部がユーザの閲覧情報を所定の評価基準に従って判定した判定結果に基づき、前記広告データ蓄積部に蓄積されている広告データを選択するものであってもよい。
【００２６】
この構成により、電源ＯＦＦのタイミングでディスプレイ部に表示する広告情報を、ユーザの閲覧履歴を参照して情報処理装置が決定することができる。その結果、省電力性を維持しつつ、よりユーザの嗜好にあう妥当な情報をディスプレイ部に表示することができる。
【００２７】
また、前記情報処理装置はさらに、通信網を介してサーバに情報を通知するサーバ通知部をさらに備え、前記制御部は、前記サーバ通知部を介して、前記電源ＯＦＦ判定部が、該装置への電力を前記所定の供給量以下に決定した場合に、前記ディスプレイ部に表示されている前記所定のデータが一意に特定できる情報をサーバに通知する機能を備えるものであってもよい。
【００２８】
この構成により、情報処理装置に表示された情報をサーバで一元的に集計することができる。その結果、集計結果に基づいて、より妥当な情報をディスプレイ部に表示することができる。
【００２９】
また、前記情報処理装置はさらに、ディスプレイ部に対して電力供給のある状態の表示と、電力供給のない状態の表示の差異から、電力供給のなかった時間を算出することができる経過時間算出部を備え、前記制御部は、前記サーバ通知部を介して、前記表示時間判定部が判定する電力供給のない時間もサーバに通知する機能を備えるものであってもよい。
【００３０】
なお、前記所定の評価基準は、ユーザの閲覧時間を基準とした値であってもよい。
【００３１】
なお、前記閲覧情報判定部は、現在前記ディスプレイ部に表示されている情報に基づいて判定を行い、前記制御部は、前記判定結果に基づいて前記広告データ蓄積部に蓄積されている広告データを選択するものであってもよい。
【００３２】
なお、前記所定のデータとは、前記情報処理装置に格納されている各種コンテンツをユーザが利用乃至閲覧したか否かの情報であってもよい。
【００３３】
なお、前記所定のデータとは、前記情報処理装置に格納されている各種コンテンツデータ一覧情報であってもよい。
【００３４】
なお、前記所定のデータとは、前記ディスプレイ部に表示されているデータのうち一部乃至全てのデータを消去するためのデータであってもよい。
【００３５】
また、上記の発明は、装置だけでなく情報処理装置の制御方法としても実現可能であることはいうまでもない。
【発明の効果】
【００３６】
情報処理装置は、電源ＯＦＦ時に適切な画面表示及び画面更新を実現することによって、ユーザの誤解がないようなユーザーインターフェース、乃至使い勝手のよいユーザーインターフェースを提供することが可能となる。
【００３７】
また、ディスプレイ装置として電子ペーパーを備える情報処理装置において、省電力性と電池残量表示の妥当性とを両立させることができる。
【図面の簡単な説明】
【００３８】
【図１】図１は、本発明の実施の形態１に於ける情報処理装置の構成を示すブロック図である。
【図２】図２は、本発明の実施の形態１に於ける情報処理装置の外観図である。
【図３】図３は、本発明の実施の形態１に於ける管理テーブルで管理されるデータのデータ構造を示す図である。
【図４】図４は、本発明の実施の形態１に於ける情報処理装置の電源ＯＦＦ時におけるディスプレイ表示更新制御処理の流れを示すフローチャートである。
【図５】図５は、本発明の実施の形態１に於ける情報処理装置のタイマー設定時間経過後の処理の流れを示すフローチャートである。
【図６】図６は、本発明の実施の形態１に於ける情報処理装置の電池残量表示の更新を説明する第１の外観図である。
【図７】図７は、本発明の実施の形態１に於ける情報処理装置の電池残量表示の更新を説明する第２の外観図である。
【図８】図８は、本発明の実施の形態２に於ける情報処理装置の構成を示すブロック図である。
【図９】図９は、本発明の実施の形態２に於ける情報処理装置の取り扱うコンテンツとして、ニュース情報を扱う場合の画面構成例を説明する外観図である。
【図１０】図１０は、本発明の実施の形態２に於ける閲覧情報判定部が管理する閲覧情報のデータ構造の一例を示す図である。
【図１１】図１１は、本発明の実施の形態２に於ける情報処理装置の電源をＯＦＦにした時のディスプレイ表示更新制御の処理シーケンスを示すフローチャートである。
【図１２】図１２は、本発明の実施の形態２に於ける情報処理装置への広告データの表示例を示す外観図である。
【図１３】図１３は、本発明の実施の形態２に於ける情報処理装置にユーザによるニュース情報の閲覧結果を表示する一例を示す外観図である。
【図１４】図１４は、本発明の実施の形態２に於ける情報処理装置にニュースのダイジェスト画面を表示する一例を示す外観図である。
【図１５】図１５は、本発明の実施の形態３に於けるサーバ連携システムの構成の説明図である。
【図１６】図１６は、本発明の実施の形態３に於ける情報処理装置の構成を示したブロック図である。
【図１７】図１７は、本発明の実施の形態３に於ける情報処理装置の電源をＯＦＦにする時の、ディスプレイ部の表示を更新する制御および、サーバ通知制御の処理の流れを示すフローチャートである。
【図１８】図１８は、本発明の実施の形態３に於ける情報処理装置の電源がＯＮされた時のサーバ通知部１６０１の処理の流れを示すフローチャートである。
【図１９】図１９は、本発明の実施の形態４に於ける情報処理装置の構成を示すブロック図である。
【図２０】図２０は、本発明の実施の形態４に於ける情報処理装置が備えるディスプレイが有する電気泳動方式の電子ペーパーの具体的な構成を示す図である。
【図２１】図２１は、本発明の実施の形態４に於けるディスプレイの経過時間と、初期帯電量に対する現在の帯電量の割合の関係を示す図である。
【図２２】図２２は、本発明の実施の形態４に於ける情報処理装置の電源ＯＦＦ時における、ディスプレイの表示更新制御、サーバ通知制御及び経過時間算出制御の処理の流れを示すフローチャートである。
【図２３】図２３は、本発明の実施の形態４に於ける情報処理装置の電源ＯＮ時のサーバ通知部１６０１の処理の流れを示すフローチャートである。
【図２４】図２４は、本発明の実施の形態１〜４に於ける情報処理装置を実現するコンピュータシステムの一例を示す外観図である。
【図２５】図２５は、本発明の実施の形態１〜４に於ける情報処理装置を実現するコンピュータシステムのハードウェア構成を示すブロック図である。
【発明を実施するための形態】
【００３９】
（実施の形態１）
以下、本発明の実施の形態１を図面に基づいて詳細に説明する。
【００４０】
図１は、本発明の実施の形態による情報処理装置の構成を示したブロック図である。情報処理装置１００は、制御部１１０、ディスプレイ部１１１、残量データ生成部１１２、残量判定部１１３、電池部１１４、タイマー部１１５、電源ＯＦＦ判定部１１６、管理テーブル１１７を備える。
【００４１】
情報処理装置１００としては、例えば、携帯電話端末、電子辞書、電子書籍リーダをはじめとするモバイル用途のデジタル機器等が想定される。
【００４２】
制御部１１０は、情報処理装置１００内の各種動作制御を行う機能を備えており、ディスプレイ部１１１、残量データ生成部１１２、残量判定部１１３、電池部１１４、タイマー部１１５、電源ＯＦＦ判定部１１６、管理テーブル１１７の各種動作制御を行う機能を備えるハードウェア回路乃至ソフトウェアモジュールである。
【００４３】
ディスプレイ部１１１は、各種の情報を表示するディスプレイ機能を備えた電子ペーパーデバイスである。すなわち、ディスプレイ部１１１は、表示する情報を更新する場合には電池部１１４からの電力供給を必要とするが、一旦情報が表示された後には電池部１１４からの電力供給を必要としないメモリ特性の特徴を備えている。
【００４４】
電子ペーパーデバイスは、マイクロカプセル型電気泳動方式、コレステリック液晶方式などの方式のデバイスである。電子ペーパーデバイスの詳細構成についての説明はここでは割愛する。
【００４５】
残量データ生成部１１２は、ディスプレイ部１１１に表示する電池残量を表示するためのデータを生成する機能を備えている。図２は情報処理装置１００の外観の構成例を示している。残量データ生成部１１２は、図２に示されるような、左上の電池残量を示す画像を作成する機能を備えているソフトウェアモジュールである。
【００４６】
残量判定部１１３は、電池部１１４の電池残量（放電容量）を判定する機能を備えるハードウェア回路、又は、ソフトウェアモジュールである。
【００４７】
電池部１１４は、情報処理装置１００内の各モジュールに電力供給する機能を備える、一次電池、又は、二次電池である。
【００４８】
タイマー部１１５は、時計機能を備え、タイマーとしての機能を備えるハードウェア回路乃至ソフトウェアモジュールである。詳しく図示していないが、タイマー部１１５は、タイマーに設定した所定の時間経過後、情報処理装置１００から制御部１１０への電力の供給を開始するなど、情報処理装置１００の電源をＯＮにする機能を備えている。
【００４９】
電源ＯＦＦ判定部１１６は、情報処理装置１００の電源がＯＦＦに移行するか否かの判定を行う機能を備えるハードウェア回路、又は、ソフトウェアモジュールである。
【００５０】
管理テーブル１１７は、残量判定部１１３で判定される電池残量（放電容量）に対して電源ＯＮのときと電源ＯＦＦのときの情報処理装置１００が電池残量０になるまでに、それぞれ、どの程度の時間、駆動を持続できるのかの情報を管理する情報テーブルを保持する。
【００５１】
図３は管理テーブル１１７のデータ構造を示している。例えば、図３に示されるように、電池残量が９００［ｍＡｈ］の場合、電源がＯＮのときの情報処理装置１００の駆動可能時間は１１時間であり、電源がＯＦＦのときの情報処理装置１００の駆動可能時間（すなわち、自然放電時間）は、７００時間である。
【００５２】
このように、管理テーブル１１７は、電池残量と装置の駆動時間に関しての詳細な関連データを保持することができる。
【００５３】
次に、これら情報処理装置１００の電源がＯＦＦの時のディスプレイ表示の更新制御についてフローチャートを用いて説明する。図４は情報処理装置１００における装置の電源がＯＦＦの時のディスプレイ表示更新制御の処理の流れを示すフローチャートである。
【００５４】
（ステップＳ４０１）ユーザによって情報処理装置１００の電源スイッチがＯＦＦに設定される、或いは所定時間ユーザの操作がないため情報処理装置１００の電源をＯＦＦにする等の、情報処理装置１００の電源をＯＦＦにすべき状態か否かを電源ＯＦＦ判定部１１６が判定する。
【００５５】
（ステップＳ４０２）次に、制御部１１０は、残量判定部１１３から電池残量を取得する。制御部１１０は、管理テーブル１１７を参照し、取得した電池残量ではどのくらい電池が持続するのかを取得する。
【００５６】
（ステップＳ４０３）次に、制御部１１０は、ステップＳ４０２で得た電池残量、又は、電池持続時間を残量データ生成部１１２に渡し、電池残量の表示データを生成する。生成されたデータは、制御部１１０によってディスプレイ部１１１に表示される。
【００５７】
（ステップＳ４０４）次に、制御部１１０は、タイマー部１１５のタイマーを起動させる。このとき起動させるタイマーの設定値（次に情報処理装置１００の電源をＯＮにするまでの時間）は、ディスプレイ部１１１に表示される電池残量に応じて変更される。
【００５８】
例えば、図２に示したように５段階の表示で電池残量を表示される場合には、制御部１１０は、現在の電池残量から１段階容量が減るにはどの程度持続時間があるのかを算出して、タイマーを設定する。より具体的には、制御部１１０は、現在の電池の残容量が１０００であり、５段階表示の１段階下がった表示を行うまでの持続時間が２００時間であると判定した場合には、タイマーを２００時間に設定する。
【００５９】
（ステップＳ４０５）次に、制御部１１０は、情報処理装置１００の電源をＯＦＦに設定する。ここで、情報処理装置１００の電源をＯＦＦにするとは、情報処理装置１００の各種機能を実現する処理部への電池部１１４からの電力の供給を停止するなどの処理を意味する。ただし、前述のタイマー部１１５は停止させず、電力の供給を継続する。
【００６０】
以上のような処理によって、制御部１１０は、情報処理装置１００が備えるディスプレイ部１１１にシステムの電源ＯＦＦ時の電池残量を表示した後、情報処理装置１００の電源をＯＦＦにする。
【００６１】
次に、タイマー部１１５に設定された所定の時間が経過したのちの、情報処理装置１００の動作処理シーケンスについて図５を用いて説明する。
【００６２】
（ステップＳ５０１）タイマー部１１５は、設定された所定の時間が経過した後に、情報処理装置１００の電源をＯＮにして、情報処理装置１００を起動させる。このとき、タイマー部１１５は、情報処理装置１００の全ての機能を起動させるのではなく、最低限の動作を行うための機能のみを起動させてもよい。
【００６３】
（ステップＳ５０２）次に、制御部１１０は、残量判定部１１３から電池残量を取得する。次に、制御部１１０は、管理テーブル１１７を参照し、取得した電池残量から、あとどのくらい電池がもつのかを示す電池持続時間を取得する。
【００６４】
（ステップＳ５０３）次に、制御部１１０は、ディスプレイ部１１１に表示されている電池残量と、残量判定部１１３から取得した現在の電池残量とを用いて、表示されている電池残量を更新する必要があるか否かの判定を行う。制御部１１０は、電池残量表示を更新する必要がある場合には、ステップＳ５０４の処理を行う。一方、電池残量表示を更新する必要がない場合には、制御部１１０は、ステップＳ５０５の処理を行う。
【００６５】
具体的には、例えば図２に示されているように、ディスプレイ部１１１に電池残量が５段階で表示される場合であって、図３に示されているように、満充電時の電池残量が１０００ｍＡｈである場合には、電池残量が２００ｍＡｈ減る毎に、ディスプレイ部１１１に表示される電池残量を１段階減らすものとする。
【００６６】
すなわち、電池部１１４の電池残量が０ｍＡｈ、０ｍＡｈを超えて２００ｍＡｈ以下、２００ｍＡｈを超えて４００ｍＡｈ以下、４００ｍＡｈを超えて６００ｍＡｈ以下、６００ｍＡｈを超えて８００ｍＡｈ以下及び８００ｍＡｈを超えて１０００ｍＡｈ以下の場合、ディスプレイ部１１１に表示されるべき電池残量はそれぞれ、０段階、１段階、２段階、３段階、４段階、５段階に対応する表示となる。
【００６７】
したがって、制御部１１０は、残量判定部１１３から取得した電池残量に基づきディスプレイ部１１１に表示されるべき電池残量の段階が、現在ディスプレイ部１１１に表示されている電池残量の段階と異なるか否かを判定することとなる。
【００６８】
（ステップＳ５０４）制御部１１０は、電池残量、又は、電池持続時間を残量データ生成部１１２に渡し、電池残量に応じてディスプレイ部１１１に表示するための電池残量の表示データを生成する。生成されたデータはディスプレイ部１１１に表示する。
【００６９】
図６は制御部１１０によって更新された電池残量表示の例を示した図である。図２に示される電池残量表示から１段階電池残量が減っている表示例である。
【００７０】
（ステップＳ５０５）次に、制御部１１０は、タイマー部１１５に次回の起動時刻を設定し、タイマーを起動する。このときのタイマーの設定値は、電池残量に応じて制御部１１０が設定する。
【００７１】
（ステップＳ５０６）次に、制御部１１０は、情報処理装置１００の電源をＯＦＦに設定する。このときの電源ＯＦＦの処理は前述のステップＳ４０５で示した処理と同様である。
【００７２】
以上のように、情報処理装置１００の電源ＯＦＦ後も電池残量に応じて制御部１１０が情報処理装置１００の再起動を行い、ディスプレイの電池残量表示を更新することによって、常に正しい電池残量を表示することが可能となる。
【００７３】
電子ペーパー特性を備えるディスプレイ装置を備える機器において、上記のような処理によって、電子ペーパーが備える省電力性を損なうことなく、電池表示のみは常に正しい表示を保つことができる。すなわち、ディスプレイ装置として電子ペーパーを備える情報処理装置において、省電力性と表示情報の妥当性とを両立させることができる。
【００７４】
また、ユーザが装置の電源をＯＮにした際に電池残量がなかったといった状態を避けることができ、装置の使い勝手を向上させることができる。
【００７５】
なお、本発明の実施の形態で、情報処理装置１００の構成について説明したが、本発明は上記の実施の形態に限定されないのはもちろんである。本発明の趣旨を逸脱しない範囲で実施の形態を変更することができる。例えば、下記のような場合（変形例）も本発明に含まれる。
【００７６】
（１）上記の実施の形態では、制御部１１０が、電池の残量に応じてタイマー部１１５のタイマー時刻を設定する例を示したが、制御部１１０は、電池の容量にかかわらずタイマーを所定の値（例えば、１日ごとなど）に設定しても構わない。この場合、所定の時間毎に、制御部１１０が残量判定部１１３から電池残量を取得し、ディスプレイ部１１１に表示する電池残量表示を更新する。
【００７７】
（２）上記の実施の形態では、ユーザが情報処理装置１００の電源をＯＦＦにした後も、情報処理装置１００が電池残量に応じて更新される電池残量表示をディスプレイ部１１１に表示する例を示した。しかし、情報処理装置１００の電源をＯＦＦにした後の電池残量表示としてユーザが混乱しない電池残量の表示方法であれば、他の表示方法であってもよい。
【００７８】
例えば、情報処理装置１００の電源がＯＦＦになる直前に、ディスプレイ部１１１の電池残量表示のところに、あとどれくらい経過すると電池残量がなくなるのかを示すような表示を行ってもよい。
【００７９】
図７はその際のディスプレイ部１１１の表示例を示している。
【００８０】
図７に示されるように、ディスプレイ部１１１には、２０１０年１月３０日くらいに電池残量がなくなる旨が表示されている。つまり、電池の容量が所定の値よりも少なくなると予測される時間情報を、現時点からの経過時間で示す相対的な表示ではなく、絶対的な時間情報（例えば、カレンダーによる表示等）で、情報処理装置１００がディスプレイ部１１１に表示してもよい。
【００８１】
また、図示はしないが、情報処理装置１００の電源がＯＦＦになった日時の情報と、そのときの、電池残量の保持時間（電池があとどのぐらいもつかを示す時間）を、情報処理装置１００がディスプレイ部１１１に表示するような構成であってもよい。
【００８２】
なお、本実施の形態に係る情報処理装置１００は、残量データ生成部１１２を備えずともよい。その場合、例えば、ディスプレイ部１１１がいくつかの表示パターンを事前に記憶しており、表示パターンの種別を特定する信号を制御部１１０からディスプレイ部１１１へ送ることにより、残量データ生成部１１２を備えた場合と同様の効果が得られる。
【００８３】
また、本実施の形態に係る情報処理装置１００は、管理テーブル１１７を備えずともよい。その場合、例えば前述のように、制御部１１０は、電池の容量にかかわらずタイマーを所定の値に設定することが考えられる。その結果、所定の時間毎に制御部１１０が残量判定部１１３から電池残量を取得し、ディスプレイ部１１１に表示する電池残量表示を更新することで、残量管理テーブル１１７を備えた場合と同様の効果が得られる。
【００８４】
（実施の形態２）
以下、本発明の実施の形態２を図面に基づいて詳細に説明する。
【００８５】
図８は、本発明の実施の形態による情報処理装置１００の構成を示したブロック図である。情報処理装置１００は、制御部２１０、ディスプレイ部２１１、閲覧情報判定部２１２、電池部２１３、電源ＯＦＦ判定部２１４、広告データ蓄積部２１５を備える。
【００８６】
情報処理装置１００は、例えば、携帯電話端末、電子辞書、電子書籍リーダをはじめとするモバイル用途のデジタル機器等である。
【００８７】
制御部２１０は、情報処理装置１００内の各種動作制御を行う機能を備えており、ディスプレイ部２１１、閲覧情報判定部２１２、電池部２１３、電源ＯＦＦ判定部２１４の各種動作制御を行う。
【００８８】
ディスプレイ部２１１の構成は実施の形態１と同様であるため、ここでの詳細な説明は割愛する。
【００８９】
閲覧情報判定部２１２は、ユーザが閲覧した情報を蓄積・判定する機能を備えているソフトウェアモジュールである。図９は情報処理装置１００の取り扱うコンテンツとして、ニュース情報を扱う場合の画面構成例を示している。
【００９０】
図９では、情報処理装置１００は、ニュース情報の各ジャンル（経済、社会、国際、スポーツ、地方）のうち、国際ニュース情報を表示している。このようなニュース情報を扱う情報処理装置１００の場合、閲覧情報判定部２１２では、例えば、図１０に示されるように、ユーザによる各ジャンルの閲覧時間を管理する。図１０のような閲覧情報の場合、ニュース情報のうち国際ニュース情報が一番長い時間、ユーザによって閲覧されていることがわかる。
【００９１】
電池部２１３、電源ＯＦＦ判定部２１４の構成は実施の形態１と同様であるため、ここでの詳細な説明は割愛する。
【００９２】
広告データ蓄積部２１５は、ディスプレイ部２１１に表示する各種の広告データを蓄積する機能を備えている。
【００９３】
次に、本実施の形態に係る情報処理装置１００の電源ＯＦＦ時のディスプレイ表示更新制御についてフローチャートを用いて説明する。
【００９４】
図１１は情報処理装置１００の電源をＯＦＦにした時のディスプレイ表示更新制御の処理シーケンスを示すフローチャートである。
【００９５】
（ステップＳ１１０１）ユーザが情報処理装置１００の電源スイッチをＯＦＦに設定する、或いは所定時間ユーザが情報処理装置１００を操作していないために情報処理装置１００の電源をＯＦＦにする等、情報処理装置１００の電源をＯＦＦにすべき状態か否かを電源ＯＦＦ判定部２１４が判定する。
【００９６】
（ステップＳ１１０２）次に、制御部２１０は、閲覧情報判定部２１２からユーザの閲覧情報の判定結果を取得する。例えば、ニュース情報コンテンツを扱う場合には、各ジャンルのニュース情報のうち一番閲覧時間が長いジャンル情報として判定されたジャンルを取得する。
【００９７】
（ステップＳ１１０３）次に、制御部２１０は、ステップＳ１１０２で取得した情報をもとに、ディスプレイ部１１１に表示する広告データを広告データ蓄積部２１５から選択する。例えば、ニュース情報コンテンツを扱う場合には、取得されたジャンルに関連した広告データを選択し、選択した広告データを、ディスプレイ部２１１に表示する。
【００９８】
（ステップＳ１１０４）次に、制御部２１０は、情報処理装置１００の電源をＯＦＦに設定する。
【００９９】
図１２は上記の処理によって広告データが表示された情報処理装置１００の表示例を示した図である。例えば、図１０に示されるように各ジャンルのニュース情報のうち国際ニュース情報の閲覧時間が長い場合は、国際ニュース情報に関連する広告と予め対応付けられている英会話教室の広告データが選択され、表示されている。
【０１００】
以上のように電子ペーパー特性を備えるディスプレイ部２１１を備える情報処理装置１００の電源ＯＦＦ時に、ディスプレイ部２１１に表示する情報を適切に選択することによって、電源ＯＦＦ時もユーザに有用な効果的な情報を表示することが可能となる。本実施の形態のように、例えば、閲覧履歴に応じた広告情報を表示することで、情報処理装置１００は、ユーザ及び広告データ提供者の双方にとって効果的な情報を共有する方法として特に有効な手段となる。
【０１０１】
なお、本実施の形態では、情報処理装置１００の構成について説明したが、本発明は上記の実施の形態に限定されないのはもちろんである。本発明の趣旨を逸脱しない範囲で、実施の形態を変更することができる。例えば、下記のような場合（変形例）も本発明に含まれる。
【０１０２】
（１）上記の実施の形態では、閲覧情報として閲覧時間の長さに応じてディスプレイ部２１１に表示される広告データが選択される例を示したが、閲覧情報は上記の条件に限らない。
【０１０３】
制御部２１０は、閲覧回数や、直前に閲覧した情報などに応じて、電源ＯＦＦ時にディスプレイ部２１１へ表示する広告データを選択しても構わない。また、表示される広告データの優先度が予め決められていても、表示される広告データはランダムに選択されてもよい。すなわち、情報処理装置１００の電源ＯＦＦ時にディスプレイ上に情報を表示する方法であればどのような方法で表示されても構わない。
【０１０４】
（２）上記の実施の形態では、ディスプレイ部２１１に広告データが表示される例を示したが、ディスプレイ部２１１に表示されるデータは広告データでなくても構わない。
【０１０５】
情報処理装置１００がニュース情報を扱うような装置である場合、例えば、図１３に示されるように、ユーザによるニュース情報の閲覧結果を示すような情報をディスプレイ部２１１に表示しても構わない。
【０１０６】
図１３では、各種ジャンル（経済、社会、国際、スポーツ、地方）のトピック毎にユーザによって閲覧されたか否かを“既読”、“未読”の表示によって示している例である。
【０１０７】
さらには、図１４に示されるように、ニュース情報に関するダイジェスト表示画面を生成し、そのダイジェスト表示画面をディスプレイ部２１１に表示してもよい。
【０１０８】
図１４では、重要度の高い情報が大きい枠の領域で表示され、重要度が低くなるに従って枠が小さくなるような表示方法で示されるダイジェスト表示画面の表示例である。
【０１０９】
これらの例のように、ユーザが閲覧したか否かの情報や、格納しているコンテンツをまとめた情報や、ユーザがどこまで閲覧したかを示す情報などをディスプレイ部２１１に表示しても構わない。つまり、情報処理装置１００は、電源をＯＦＦにする際に、電子ペーパーとしての特性をもつディスプレイ部２１１に、各種の情報を表示したまま電源をＯＦＦするものであればよい。
【０１１０】
これにより、本実施の形態の情報処理装置１００は、電力消費を節約するとともに、利用者にとって有用な情報等をディスプレイ部２１１に提示することが可能となる。
【０１１１】
（３）上記の実施の形態では、情報処理装置１００が電源をＯＦＦにする時に広告情報を表示する例を示したが、実施の形態１で示すように、情報処理装置１００が内部にタイマー部を備えてもよい。
【０１１２】
具体的には、情報処理装置１００の電源がＯＦＦにされてから所定の時間が経過すると、タイマー部が情報処理装置１００の電源をＯＮにし、また、ディスプレイ部１１１に表示されている情報を更新するか否かの判定を制御部２１０が行い、判定の結果、必要に応じて表示されている情報を制御部２１０が更新してもよい。
【０１１３】
（４）上記の実施の形態では、情報処理装置１００が電源ＯＦＦ時に広告情報を表示する例を示したが、情報処理装置１００からの情報漏洩防止のため、情報処理装置１００の電源ＯＦＦ時には、ディスプレイ部２１１に表示されている表示を消去してもよい。
【０１１４】
（５）上記の実施の形態では、情報処理装置１００の広告データ蓄積部２１５に各種広告データを蓄積している例を示したが、その数は制限されない。多くの広告情報を蓄積するような不揮発性の記録媒体で広告データ蓄積部２１５が構成されてもよいし、１種類程度の広告データしか蓄積できないような構成かつ揮発性の記録媒体で広告データ蓄積部２１５が構成されてもよい。
【０１１５】
所定の手順で情報処理装置１００に格納された広告データが情報処理装置１００の電源ＯＦＦ時にディスプレイ部２１１に表示される構成であれば、情報処理装置１００に蓄積されている広告情報の数、記録媒体、入手のタイミングなどはどのような方法であっても構わない。
【０１１６】
(実施の形態３)
以下、本発明の実施の形態３を図面に基づいて詳細に説明する。
【０１１７】
図１５（Ａ）は、本発明の実施の形態による情報処理装置１００と配信サーバ９０１とのサーバ連携システムの概要を示した構成図である。
【０１１８】
インターネット網や放送網などの各種の通信網９０２を介して、コンテンツデータを初めとする各種データが配信サーバ９０１から情報処理装置１００に配信される。
【０１１９】
例えば、書籍データのようなコンテンツデータは、図１５（Ｂ）のシーケンス図に示されるように、情報処理装置１００から配信サーバ９０１への配信要求に応じて、配信サーバ９０１から情報処理装置１００へ配信される。
【０１２０】
また例えば、情報処理装置１００による広告データの受信や、配信サーバ９０１への表示情報通知については、図１５（Ｃ）のシーケンス図に示されるように行われる。すなわち、配信サーバ９０１から情報処理装置１００へ広告データが配信されると、情報処理装置１００は配信された広告データを表示する。次に、情報処理装置１００は、表示した広告データの表示情報（どのような広告データを表示しているのかを示す情報）を配信サーバ９０１に通知する。
【０１２１】
本実施の形態に係る情報処理装置１００は、このように配信サーバ９０１と連携を行うシステムである。以下、より詳細に説明する。
【０１２２】
図１６は情報処理装置１００の構成を示したブロック図である。情報処理装置１００は、制御部２１０、ディスプレイ部２１１、閲覧情報判定部２１２、電池部２１３、電源ＯＦＦ判定部２１４、広告データ蓄積部２１５、サーバ通知部１６０１を備える。
【０１２３】
本実施の形態に係る情報処理装置１００としては、例えば、携帯電話端末、電子辞書、電子書籍リーダをはじめとするモバイル用途のデジタル機器等が想定される。
【０１２４】
制御部２１０は、情報処理装置１００内の各種動作制御を行う機能を備えており、ディスプレイ部２１１、閲覧情報判定部２１２、電池部２１３、電源ＯＦＦ判定部２１４、サーバ通知部１６０１の各処理部を制御する。
【０１２５】
ディスプレイ部２１１、閲覧情報判定部２１２、電池部２１３、電源ＯＦＦ判定部２１４の構成は実施の形態２と同様であるため、ここでの詳細な説明は割愛する。
【０１２６】
サーバ通知部１６０１は、ディスプレイ部２１１に表示された情報をサーバに通知する機能（サーバ通知機能）を備えている。より具体的には、電力が供給されていない間に、メモリ特性のあるディスプレイ部２１１にどのようなデータが表示されていたのかを、有線・無線の通信網を介して配信サーバ９０１に通知する機能を備えている。
【０１２７】
このサーバ通知機能について、図１７及び図１８を用いて説明する。図１７は情報処理装置１００の電源をＯＦＦにする時に、ディスプレイ部２１１の表示を更新する制御および、配信サーバ９０１へのサーバ通知制御の処理の流れを示すフローチャートである。
【０１２８】
図１７に示される処理シーケンスのうち、ステップＳ１７０１を除く処理は、図１１の処理シーケンスと同じであるため、詳細な説明割愛する。ここでは、ステップＳ１７０１について説明する。
【０１２９】
（ステップＳ１７０１）サーバ通知部１６０１は、ステップＳ１１０３でディスプレイ部２１１に表示された情報に対応する表示データ情報を、内部に保持する不揮発性メモリのメモリ領域などに記録しておく。
【０１３０】
次に、図１８を用いて情報処理装置１００の電源がＯＮされた時のサーバ通知部１６０１の処理シーケンスを説明する。
【０１３１】
（ステップＳ１８０１）図示はしていないが、ユーザによって電源ボタンが押されるなどの操作によって、情報処理装置１００の電源がＯＮになり、情報処理装置１００が機能する状態になる。
【０１３２】
（ステップＳ１８０２）次に、サーバ通知部１６０１は、内部に保持していた情報を配信サーバ９０１に通知するため、配信サーバ９０１との通信を開始する。配信サーバ９０１と情報処理装置１００の通信に関しては、通信キャリア独自のプロトコル、インターネットを通じた所定のプロトコルなど様々な通信方法があるが、ここでの詳細な説明は割愛する。
【０１３３】
（ステップＳ１８０３）次に、サーバ通知部１６０１が、記録している表示データ情報を配信サーバ９０１へ通知することに成功した場合には、サーバ通知部１６０１の処理は終了する。
【０１３４】
一方、サーバ通知部１６０１が、配信サーバ９０１へ表示データ情報を通知することに失敗した場合には、ステップＳ１８０４の処理に移る。
【０１３５】
（ステップＳ１８０４）サーバ通知部１６０１から配信サーバ９０１への情報の通知が失敗した場合には、サーバ通知部１６０１は、ディスプレイ部２１１に表示されている情報を、再度、サーバ通知部１６０１内部に保持する不揮発性メモリなどに記録する。その後、サーバ通知部１６０１は、再度、配信サーバ９０１へ表示データ情報を通知するために、ステップＳ１８０２の処理に移る。
【０１３６】
なお、このとき、サーバ通知部１６０１は、所定時間の間隔をあけてから、再度サーバへ表示データ情報を通知するためにステップＳ１８０２の処理を行う。
【０１３７】
このようにしてサーバに通知される表示データ情報とは、ディスプレイ部２１１に表示された情報を一意に特定できる情報であり、例えば、広告情報の場合であれば、その広告を一意に特定可能なＩＤ情報のようなものである。
【０１３８】
以上により、ディスプレイ部２１１に電力が供給されていない状態のときに、どのような情報がディスプレイ部２１１に表示されていたのかを、情報処理装置１００は、配信サーバ９０１に通知することができる。また、情報処理装置１００の電源ＯＦＦ時に、電子ペーパー特性を有するディスプレイ部２１１に表示されていた表示データ情報を配信サーバ９０１に通知することによって、配信サーバ９０１側で電源ＯＦＦ時の端末での表示情報を詳細に把握することができる。
【０１３９】
なお、本実施の形態で、情報処理装置１００の構成について説明したが、本発明は上記の実施の形態に限定されないのはもちろんである。本発明の趣旨を逸脱しない範囲で、実施の形態を変更することができる。例えば、下記のような場合（変形例）も本発明に含まれる。
【０１４０】
（１）上記の実施の形態では、情報処理装置１００から配信サーバ９０１への表示データ情報の通知は、情報処理装置１００の電源がＯＮになった際に行う例を示したが、そのタイミングは上記の条件に限定されない。例えば、情報処理装置１００の電源がＯＦＦになる際に表示データ情報を通知してもよい。
【０１４１】
（２）上記の実施の形態では、情報処理装置１００から配信サーバ９０１への表示データ情報の通知に失敗した際には、サーバ通知部１６０１内部の不揮発性のメモリに表示データ情報を記録して、所定時間後、再通知のためにサーバ通知部１６０１から配信サーバ９０１への通信処理を行う例を示した。しかし、配信サーバ９０１への再通知の方法はこれに限定されない。
【０１４２】
例えば、所定時間経過した後ではなく、情報処理装置１００の電源がＯＦＦされる際の直前のタイミングであってもよい。また、情報処理装置１００の電源がＯＦＦされる時に配信サーバ９０１へ表示データ情報を通知する場合であって、通知に失敗した場合には、情報処理装置１００の電源がＯＮされた時に、サーバ通知部１６０１が再通知のためのサーバ通信処理を行うようなシーケンスであってもよい。
【０１４３】
このように、情報処理装置１００から配信サーバ９０１に、情報処理装置１００の電源がＯＦＦになっているときにディスプレイ部２１１に表示されている情報を通知できれば、どのような方法であっても構わない。
【０１４４】
（３）上記の実施の形態では、電力供給がない状態でディスプレイ部２１１に表示されている情報が、例えば広告情報の場合、その情報を一意に特定できるものとして、ＩＤ情報のような情報である表示データ情報をサーバ通知部１６０１から配信サーバ９０１へ通知する例を示したが、通知する情報はこれに限定されない。
【０１４５】
ディスプレイ部２１１に表示されている情報をそのままサーバに送付するような方法であっても構わない。すなわち、情報処理装置１００が備えるディスプレイ部２１１に表示されている情報を識別できるものであれば、どのような情報をサーバ通知部１６０１から配信サーバ９０１に通知してもよい。
【０１４６】
（実施の形態４）
以下、本発明の実施の形態４を図面に基づいて詳細に説明する。
【０１４７】
図１９は本発明の実施の形態による情報処理装置１００の構成を示したブロック図である。情報処理装置１００は、制御部２１０、ディスプレイ部２１１、閲覧情報判定部２１２、電池部２１３、電源ＯＦＦ判定部２１４、広告データ蓄積部２１５、サーバ通知部１６０１、経過時間算出部１９０１を備える。
【０１４８】
本実施の形態における情報処理装置１００としては、例えば、携帯電話端末、電子辞書、電子書籍リーダをはじめとするモバイル用途のデジタル機器等が想定される。
【０１４９】
制御部２１０は、情報処理装置１００内の各種動作制御を行う機能を備えており、ディスプレイ部２１１、閲覧情報判定部２１２、電池部２１３、電源ＯＦＦ判定部２１４、サーバ通知部１６０１、経過時間算出部１９０１の各種制御を行う。
【０１５０】
ディスプレイ部２１１は、メモリ特性のある電子ペーパーであり、前述のような電気泳動方式の場合、極版間に電圧を印加することで帯電粒子等の表示素子を制御する方法で構成されるディスプレイである。
【０１５１】
図２０は、電気泳動方式の具体的な構成を示した図である。電気泳動方式は、透明電極２００１と電極２００４の間に着色された帯電粒子２００２と絶縁性溶液２００３を封入し、電極間に電圧を印加し帯電粒子２００２を電気泳動させることで表示を形成する。
【０１５２】
帯電粒子が負に帯電しているとすると、正電圧を印加すると（Ａ）のように、帯電粒子２００２が表面側に移動することによって、表面色は帯電粒子２００２色になる。
【０１５３】
一方、負電圧を印加すると（Ｂ）のように、帯電粒子２００２は表面から遠ざかり、表示色は絶縁性溶液２００３色になる。
【０１５４】
また、帯電粒子２００２は電圧印加をやめても静電力等により電極上にとどまるが、電極間の帯電が、時間の経過とともに放電されていくと、透明電極２００１の拘束力を受けなくなる。そのため、一定期間を経過すると、電子ペーパー表面の表示が変化する（表示が薄くなったりする）。
【０１５５】
また、電極間への印加電圧が大きければ、大きいほど電極間の帯電量は大きくなる。そのため、初期の電極対間の電位差と一定時間経過した後の電極対間の残留電位差を比較することによって、どのくらいの時間、電極に電圧が印加されていないかを算出することができる。図２１は経過時間と、初期帯電量に対する現在の帯電量の割合の関係を示す図である。
【０１５６】
経過時間算出部１９０１は、初期の電極間への印加電圧の情報と、上記図２１で示すような電位差から経過時間を算出することができるベースデータとを保持している。
【０１５７】
これにより、経過時間算出部１９０１は、現在の電極対間の電位差から、ディスプレイ部２１１にどの程度の時間、電圧が印加されないまま、広告データ等の情報が表示されているのかを示す経過時間を算出する。
【０１５８】
サーバ通知部１６０１は、ディスプレイ部２１１に表示されている情報を識別できる情報（表示データ情報）と、上記経過時間算出部１９０１により算出された経過時間とをサーバに通知する機能を備える。
【０１５９】
情報処理装置１００のそれ以外の構成である、閲覧情報判定部２１２、電池部２１３、電源ＯＦＦ判定部２１４の機能は実施の形態３と同じであるので、ここでの説明は割愛する。
【０１６０】
本実施の形態に係る情報処理装置１００において行われる経過時間の算出処理について、フローチャートを用いて説明する。
【０１６１】
図２２は、情報処理装置１００の電源ＯＦＦ時における、ディスプレイの表示更新制御、サーバ通知制御及び経過時間算出制御の処理の流れを示すフローチャートである。
【０１６２】
図２２に示される各処理のうち、ステップＳ２２０１を除く処理は、図１７に示された処理と同じであるため、詳細な説明は割愛する。よって、ここでは、ステップＳ２２０１の処理について説明する。
【０１６３】
（ステップＳ２２０１）経過時間算出部１９０１は、ステップＳ１１０３でディスプレイ部２１１にデータを表示した際の印加電圧の情報を、内部に保持する不揮発性メモリなどに記録しておく。
【０１６４】
次に、図２３を用いて情報処理装置１００の電源ＯＮ時のサーバ通知部１６０１の処理の流れを説明する。
【０１６５】
（ステップＳ２３０１）図示はしていないが、ユーザによって電源ボタンが押されるなどの操作によって、情報処理装置１００の電源がＯＮになり、情報処理装置１００内の各処理部が機能する状態になる。
【０１６６】
（ステップＳ２３０２）次に、サーバ通知部１６０１は、内部に記録していた表示データ情報と、経過時間算出部１９０１が算出した経過時間とを配信サーバ９０１に通知するため、配信サーバ９０１との通信を開始する。
【０１６７】
配信サーバ９０１とサーバ通知部１６０１の通信方法には、通信キャリア独自のプロトコル、インターネットを通じた所定のプロトコルなど様々な通信方法があるが、ここでの詳細な説明は割愛する。
【０１６８】
（ステップＳ２３０３）次に、サーバ通知部１６０１が、表示データ情報と経過時間とを配信サーバ９０１へ通知することに成功した場合には、情報処理装置１００は、そのまま、サーバ通知部１６０１の処理を終了する。
【０１６９】
一方、配信サーバ９０１への通知が失敗した場合には、ステップＳ２３０４の処理に移る。
【０１７０】
（ステップＳ２３０４）配信サーバ９０１への情報の通知が失敗した場合には、サーバ通知部１６０１は、ディスプレイ部２１１に表示されている表示データ情報と、経過時間算出部１９０１が算出した経過時間とを、再度、サーバ通知部１６０１内部に保持する不揮発性のメモリなどに記録する。
【０１７１】
その後、サーバ通知部１６０１は、記録した情報を再度配信サーバ９０１へ通知するために、ステップＳ２３０２の処理に移る。なお、このとき、サーバ通知部１６０１は、所定時間、間隔をあけてから、再度配信サーバ９０１への通知をするためにステップＳ２３０２の処理を行う。
【０１７２】
このようにして、本実施の形態に係る情報処理装置１００は、ディスプレイ部２１１に電力が供給されていない状態のときに、どのような情報をどれくらいの間表示していたのかを配信サーバ９０１に通知することができる。
【０１７３】
また、電子ペーパーを用いたディスプレイ部２１１を備える情報処理装置１００の電源ＯＦＦ時に、ディスプレイ部２１１に表示された情報とその経過時間とをサーバ通知部１６０１が配信サーバ９０１に通知することによって、配信サーバ９０１側で情報処理装置１００に表示された情報を詳細に把握することができる。
【０１７４】
なお、本発明は上記の実施の形態に限定されないのはもちろんである。本発明の趣旨を逸脱しない範囲で、実施の形態を変更することができる。例えば、下記のような場合（変形例）も本発明に含まれる。
【０１７５】
（１）上記の実施の形態では、情報処理装置１００から配信サーバ９０１への通知は、情報処理装置１００の電源がＯＮされた際に、ディスプレイ部２１１に表示されていた情報と、経過時間とを、サーバ通知部１６０１が配信サーバ９０１に通知する例を示したが、そのタイミングなどは上記実施の形態には限定されない。
【０１７６】
サーバ通知部１６０１は、情報処理装置１００の電源がＯＦＦにされた際にディスプレイ部２１１に表示されていた情報を配信サーバ９０１へ通知し、情報処理装置１００の電源がＯＮされた際に、経過時間を配信サーバ９０１へ通知してもよい。
【０１７７】
また、配信サーバ９０１への通知が失敗した際の再通知を行うタイミングも、上記実施の形態には限定されない。すなわち、ディスプレイ部２１１に表示されていた情報と、その情報が表示されていた経過時間とをサーバ通知部１６０１から配信サーバ９０１へ通知できる方法であれば、どのような方法であっても構わない。
【０１７８】
（２）上記の実施の形態では、経過時間算出部１９０１はディスプレイ部２１１の残留電位差から経過時間を算出する例を示したが、経過時間を算出する方法はこれに限定されない。
【０１７９】
例えば、情報処理装置１００は、電源ＯＦＦ時に、ディスプレイ部２１１へ所定フォーマットなどで電源がＯＦＦにされた時刻を表示（記録）した後、情報処理装置１００の電源がＯＮされた時には経過時間算出部１９０１が備えるセンサによって、ディスプレイ部２１１の表示から電源ＯＦＦ時の時刻を取得することが考えられる。その後、経過時間算出部１９０１は、センサによって取得した時刻情報と現在の時刻とから経過時間を判定してもよい。
【０１８０】
またさらに、実施の形態１乃至４に共通する、例えば以下のような場合も本発明に含まれる。
【０１８１】
（１）上記の実施の形態では、情報処理装置１００の電源をＯＦＦにする例を示したが、各機能やデバイスが省電力モード機能を備えるのであれば、電源のＯＦＦに代わって、省電力モードへの移行を用いても構わない。また、電源のＯＦＦに代わって、各機能処理部やデバイスのうち必要なものだけに電力供給を行うようなモードを用いても構わない。
【０１８２】
すなわち、情報処理装置１００全体の消費電力が低減するモードへ移行する処理であればよい。
【０１８３】
（２）また、実施の形態１に示したディスプレイ部１１１に表示される電池残量表示の更新と、実施の形態２、３、４に示したディスプレイ部１１１の主な表示内容の更新とを組み合わせて実施してもよい。
【０１８４】
（３）上記の実施の形態では、ディスプレイ部１１１及び２１１に電子ペーパーのようなメモリ特性を備えるデバイスを用いた場合の例について示したが、ディスプレイ部１１１及び２１１が別の特性を備えるデバイスであってもよい。
【０１８５】
すなわち、通常状態から省電力又は電源ＯＦＦモードに移行する際に、画面情報を更新する情報処理装置１００であれば、どのような特性のデバイスを用いたディスプレイ部１１１及び２１１を備えていてもよい。
【０１８６】
なお、実施の形態１〜４で説明した情報処理装置１００は、コンピュータにより実現することが可能である。図２４を参照して、情報処理装置１００は、コンピュータ３４と、コンピュータ３４に指示を与えるためのキーボード３６及びマウス３８と、コンピュータ３４の演算結果等の情報を提示するためのディスプレイ３２と、コンピュータ３４で実行されるプログラムを読み取るためのＣＤ−ＲＯＭ（Compact Disc-Read Only Memory）装置４０及び通信モデム（図示せず）とを含む。
【０１８７】
情報処理装置１００が行う処理であるプログラムは、コンピュータで読取可能な媒体であるＣＤ−ＲＯＭ４２に記憶され、ＣＤ−ＲＯＭ装置４０で読み取られる。又は、コンピュータネットワークを通じて通信モデム５２で読み取られる。
【０１８８】
図２５は、情報処理装置１００を実現するコンピュータシステムのハードウェア構成を示すブロック図である。コンピュータ３４は、ＣＰＵ（Central Processing Unit）４４と、ＲＯＭ（Read Only Memory）４６と、ＲＡＭ（Random Access Memory）４８と、ハードディスク５０と、通信モデム５２と、バス５４とを含む。
【０１８９】
ＣＰＵ４４は、ＣＤ−ＲＯＭ装置４０又は通信モデム５２を介して読み取られたプログラムを実行する。ＲＯＭ４６は、コンピュータ３４の動作に必要なプログラムやデータを記憶する。ＲＡＭ４８は、プログラム実行時のパラメタなどのデータを記憶する。ハードディスク５０は、プログラムやデータなどを記憶する。通信モデム５２は、コンピュータネットワークを介して他のコンピュータとの通信を行う。バス５４は、ＣＰＵ４４、ＲＯＭ４６、ＲＡＭ４８、ハードディスク５０、通信モデム５２、ディスプレイ３２、キーボード３６、マウス３８及びＣＤ−ＲＯＭ装置４０を相互に接続する。
【０１９０】
さらに、上記の各装置を構成する構成要素の一部又は全部は、１個のシステムＬＳＩ（Large Scale Integration：大規模集積回路）から構成されているとしてもよい。システムＬＳＩは、複数の構成部を１個のチップ上に集積して製造された超多機能ＬＳＩであり、具体的には、マイクロプロセッサ、ＲＯＭ、ＲＡＭなどを含んで構成されるコンピュータシステムである。ＲＡＭには、コンピュータプログラムが記憶されている。マイクロプロセッサが、コンピュータプログラムに従って動作することにより、システムＬＳＩは、その機能を達成する。
【０１９１】
さらにまた、上記の各装置を構成する構成要素の一部又は全部は、各装置に脱着可能なＩＣカード又は単体のモジュールから構成されているとしてもよい。ＩＣカード又はモジュールは、マイクロプロセッサ、ＲＯＭ、ＲＡＭなどから構成されるコンピュータシステムである。ＩＣカード又はモジュールは、上記の超多機能ＬＳＩを含むとしてもよい。マイクロプロセッサが、コンピュータプログラムに従って動作することにより、ＩＣカード又はモジュールは、その機能を達成する。このＩＣカード又はこのモジュールは、耐タンパ性を有するとしてもよい。
【０１９２】
また、本発明は、上記に示す方法であるとしてもよい。また、これらの方法をコンピュータにより実現するコンピュータプログラムであるとしてもよいし、前記コンピュータプログラムからなるデジタル信号であるとしてもよい。
【０１９３】
さらに、本発明は、上記コンピュータプログラム又は上記デジタル信号をコンピュータ読み取り可能な記録媒体、例えば、フレキシブルディスク、ハードディスク、ＣＤ−ＲＯＭ、ＭＯ、ＤＶＤ、ＤＶＤ−ＲＯＭ、ＤＶＤ−ＲＡＭ、ＢＤ（Blu-ray Disc（登録商標））、ＵＳＢメモリ、ＳＤカードなどのメモリカード、半導体メモリなどに記録したものとしてもよい。また、これらの記録媒体に記録されている上記デジタル信号であるとしてもよい。
【０１９４】
また、本発明は、上記コンピュータプログラム又は上記デジタル信号を、電気通信回線、無線又は有線通信回線、インターネットを代表とするネットワーク、データ放送等を経由して伝送するものとしてもよい。
【０１９５】
また、本発明は、マイクロプロセッサとメモリを備えたコンピュータシステムであって、上記メモリは、上記コンピュータプログラムを記憶しており、上記マイクロプロセッサは、上記コンピュータプログラムに従って動作するとしてもよい。
【０１９６】
また、上記プログラム又は上記デジタル信号を上記記録媒体に記録して移送することにより、又は上記プログラム又は上記デジタル信号を、上記ネットワーク等を経由して移送することにより、独立した他のコンピュータシステムにより実施するとしてもよい。
【０１９７】
さらに、上記実施の形態及び上記変形例をそれぞれ組み合わせるとしてもよい。
【０１９８】
今回開示された実施の形態はすべての点で例示であって制限的なものではないと考えられるべきである。本発明の範囲は上記した説明ではなくて請求の範囲によって示され、請求の範囲と均等の意味及び範囲内でのすべての変更が含まれることが意図される。
【産業上の利用可能性】
【０１９９】
本発明にかかる情報処理装置及びその制御方法では、情報処理装置の電源ＯＦＦ時に、電子ペーパーによる表示出力装置を適切な情報表示に更新することによって、省電力性と表示情報の妥当性とを両立させ、かつ、ユーザにとって使い勝手のよいユーザーインターフェースを提供することができる。
【符号の説明】
【０２００】
３２  ディスプレイ
３４  コンピュータ
３６  キーボード
３８  マウス
４０  ＣＤ−ＲＯＭ装置
４２  ＣＤ−ＲＯＭ
４４  ＣＰＵ
４６  ＲＯＭ
４８  ＲＡＭ
５０  ハードディスク
５２  通信モデム
５４  バス
１００  情報処理装置
１１０、２１０  制御部
１１１、２１１  ディスプレイ部
１１２  残量データ生成部
１１３  残量判定部
１１４、２１３  電池部
１１５  タイマー部
１１６、２１４  電源ＯＦＦ判定部
１１７  管理テーブル
２１２  閲覧情報判定部
２１５  広告データ蓄積部
９０１  配信サーバ
９０２  通信網
１６０１  サーバ通知部
１９０１  経過時間算出部
２００１  透明電極
２００２  帯電粒子
２００３  絶縁性溶液
２００４  電極
【手続補正２】
【補正対象書類名】特許請求の範囲
【補正対象項目名】全文
【補正方法】変更
【補正の内容】
【特許請求の範囲】
【請求項１】
情報の加工、表示を行う情報処理装置であって、
該装置へ電力を供給する電池部と、
前記電池部が保持する電池残量を判定する残量判定部と、
電力供給がない状態で、表示内容を継続して保持するメモリ特性のあるディスプレイ部と、
前記電池部から該装置への電力供給を所定の供給量以下に決定する電源ＯＦＦ判定部と、
設定した所定時間に、前記電池部から該装置への電力供給開始を制御するタイマー部と、
前記電源ＯＦＦ判定部が、該装置への電力を前記所定の供給量以下に決定した場合に、前記タイマー部へ、前記所定時間を前記残量判定部の電池残量に基づいて設定させるとともに、前記電池部から該装置への電力供給を所定の供給量以下にし、
前記タイマー部により、該装置への電力供給が開始された場合に、前記残量判定部が判定する電池残量に基づいて、前記ディスプレイ部に電池残量の情報を表示する制御部と、
を備えた情報処理装置。
【請求項２】
該装置の状態と、電池残量と、電池の持続時間と、の関係を示す管理テーブルを、
さらに備え、
前記制御部は、前記残量判定部の電池残量に基づいて前記管理テーブルから時間情報を取得し、該時間情報に従って前記タイマー部へ前記所定時間を設定する、
請求項１に記載の情報処理装置。
【請求項３】
情報の加工、表示を行う情報処理装置であって、
電力供給がない状態で、表示内容を継続して保持するメモリ特性のあるディスプレイ部と、
該装置への電力供給を所定の供給量以下に決定する電源ＯＦＦ判定部と、
前記電源ＯＦＦ判定部が、該装置への電力を前記所定の供給量以下に決定した場合に、前記ディスプレイ部へ所定のデータを表示し、
該装置への電力供給を所定の供給量以下に設定する制御部と、
を備える情報処理装置。
【請求項４】
前記所定のデータとは、該装置の電池残量に関するデータの情報であることを特徴とする請求項３に記載の情報処理装置。
【請求項５】
前記所定のデータとは、広告データの情報であることを特徴とする請求項３に記載の情報処理装置。
【請求項６】
通信網を介してサーバに情報を通知するサーバ通知部、をさらに備え、
前記制御部は、前記サーバ通知部を介して、前記電源ＯＦＦ判定部が、該装置への電力を前記所定の供給量以下に決定した場合に、前記ディスプレイ部に表示されている前記所定のデータが一意に特定できる情報をサーバに通知する機能を備えることを特徴とする請求項４または５に記載の情報処理装置。
【請求項７】
ディスプレイ部に対して電力供給のある状態の表示と、電力供給のない状態の表示の差異から、電力供給のなかった時間を算出する経過時間算出部、をさらに備え、
前記制御部は、前記サーバ通知部を介して、前記表示時間判定部が判定する電力供給のない時間もサーバに通知する機能を備えることを特徴とする請求項６に記載の情報処理装置。
【請求項８】
ユーザの閲覧情報を蓄積し判定する閲覧情報判定部と、
広告データを蓄積する広告データ蓄積部と、
をさらに備え、
前記制御部は、前記閲覧情報判定部がユーザの閲覧情報を所定の評価基準に従って判定した判定結果に基づき、前記広告データ蓄積部に蓄積されている広告データを選択することを特徴とする請求項５に記載の情報処理装置。
【請求項９】
前記所定の評価基準は、ユーザの閲覧回数を基準とした値であることを特徴とする請求項６に記載の情報処理装置。
【請求項１０】
前記所定の評価基準は、ユーザの閲覧時間を基準とした値であることを特徴とする請求項６に記載の情報処理装置。
【請求項１１】
前記閲覧情報判定部は、前記ディスプレイ部に表示されている情報に基づいて判定を行い、
前記制御部は、前記判定結果に基づいて前記広告データ蓄積部に蓄積されている広告データを選択する、
ことを特徴とする請求項６に記載の情報処理装置。
【請求項１２】
前記所定のデータとは、前記情報処理装置に格納されている各種コンテンツをユーザが利用、又は、閲覧したか否かの情報であることを特徴とする請求項３に記載の情報処理装置。
【請求項１３】
前記所定のデータとは、前記情報処理装置に格納されている各種コンテンツデータ一覧情報あることを特徴とする請求項３に記載の情報処理装置。
【請求項１４】
前記所定のデータとは、前記ディスプレイ部に表示されているデータのうち一部、又は、全てのデータを消去するためのデータであることを特徴とする請求項３に記載の情報処理装置。
【請求項１５】
情報の加工、表示を行う情報処理装置の制御方法であって、
該装置へ電力を供給する電池部が保持する電池残量を判定する残量判定ステップと、
前記電池部から該装置への電力供給を所定の供給量以下に決定する電源ＯＦＦ判定ステップと、
設定した所定時間に、前記電池部から該装置への電力供給開始を制御するタイマーステップと、
前記電源ＯＦＦ判定ステップが、該装置への電力を前記所定の供給量以下に決定した場合に、前記タイマーステップへ、前記所定時間を前記残量判定ステップの電池残量に基づいて設定させるとともに、前記電池部から該装置への電力供給を所定の供給量以下にし、
前記タイマーステップにより、該装置への電力供給が開始された場合に、前記残量判定ステップが判定する電池残量に基づいて、電力供給がない状態で表示内容を継続して保持するメモリ特性のあるディスプレイ部に電池残量の情報を表示する、制御ステップと、
を含む情報処理装置の制御方法。
【請求項１６】
情報の加工、表示を行う情報処理装置の制御方法であって、
該装置への電力供給を所定の供給量以下に決定する電源ＯＦＦ判定ステップと、
前記電源ＯＦＦ判定ステップで、所定の電力供給量以下に決定された際に、該装置が各種情報の表示を行うディスプレイ部に、表示されるデータが特定できる情報と、前記ディスプレイ部に前記表示されるデータの表示時間を、有線・無線の各種ネットワーク網を介してサーバに通知するサーバ通知ステップと、
を含む情報処理装置の制御方法。
【手続補正３】
【補正対象書類名】図面
【補正対象項目名】全図
【補正方法】変更
【補正の内容】
【図１】
2011001671.tif 000028
【図２】
2011001671.tif 000029
【図３】
2011001671.tif 000030
【図４】
2011001671.tif 000031
【図５】
2011001671.tif 000032
【図６】
2011001671.tif 000033
【図７】
2011001671.tif 000034
【図８】
2011001671.tif 000035
【図９】
2011001671.tif 000036
【図１０】
2011001671.tif 000037
【図１１】
2011001671.tif 000038
【図１２】
2011001671.tif 000039
【図１３】
2011001671.tif 000040
【図１４】
2011001671.tif 000041
【図１５】
2011001671.tif 000042
【図１６】
2011001671.tif 000043
【図１７】
2011001671.tif 000044
【図１８】
2011001671.tif 000045
【図１９】
2011001671.tif 000046
【図２０】
2011001671.tif 000047
【図２１】
2011001671.tif 000048
【図２２】
2011001671.tif 000049
【図２３】
2011001671.tif 000050
【図２４】
2011001671.tif 000051
【図２５】
2011001671.tif 000052
【手続補正書】
【提出日】平成23年7月13日(2011.7.13)
【手続補正１】
【補正対象書類名】特許請求の範囲
【補正対象項目名】全文
【補正方法】変更
【補正の内容】
【特許請求の範囲】
【請求項１】
情報の加工、表示を行う情報処理装置であって、
電力供給がない状態で、表示内容を継続して保持するメモリ特性のあるディスプレイ部と、
該装置への電力供給を所定の供給量以下に決定する電源ＯＦＦ判定部と、
前記電源ＯＦＦ判定部が、該装置への電力を前記所定の供給量以下に決定した場合に、前記ディスプレイ部へ所定のデータを表示し、
該装置への電力供給を所定の供給量以下に設定する制御部と、
を備える情報処理装置。
【請求項２】
前記所定のデータとは、広告データの情報であることを特徴とする請求項１に記載の情報処理装置。
【請求項３】
通信網を介してサーバに情報を通知するサーバ通知部、をさらに備え、
前記制御部は、前記サーバ通知部を介して、前記電源ＯＦＦ判定部が、該装置への電力を前記所定の供給量以下に決定した場合に、前記ディスプレイ部に表示されている前記所定のデータが一意に特定できる情報をサーバに通知する機能を備えることを特徴とする請求項２に記載の情報処理装置。
【請求項４】
ディスプレイ部に対して電力供給のある状態の表示と、電力供給のない状態の表示の差異から、電力供給のなかった時間を算出する経過時間算出部、をさらに備え、
前記制御部は、前記サーバ通知部を介して、前記経過時間算出部が判定する電力供給のない時間もサーバに通知する機能を備えることを特徴とする請求項３に記載の情報処理装置。
【請求項５】
ユーザの閲覧情報を蓄積し判定する閲覧情報判定部と、
広告データを蓄積する広告データ蓄積部と、
をさらに備え、
前記制御部は、前記閲覧情報判定部がユーザの閲覧情報を所定の評価基準に従って判定した判定結果に基づき、前記広告データ蓄積部に蓄積されている広告データを選択することを特徴とする請求項２に記載の情報処理装置。
【請求項６】
前記所定の評価基準は、ユーザの閲覧回数を基準とした値であることを特徴とする請求項５に記載の情報処理装置。
【請求項７】
前記所定の評価基準は、ユーザの閲覧時間を基準とした値であることを特徴とする請求項５に記載の情報処理装置。
【請求項８】
前記閲覧情報判定部は、前記ディスプレイ部に表示されている情報に基づいて判定を行い、
前記制御部は、前記判定結果に基づいて前記広告データ蓄積部に蓄積されている広告データを選択する、
ことを特徴とする請求項５に記載の情報処理装置。
【請求項９】
前記所定のデータとは、前記情報処理装置に格納されている各種コンテンツをユーザが利用、又は、閲覧したか否かの情報であることを特徴とする請求項１に記載の情報処理装置。
【請求項１０】
前記所定のデータとは、前記情報処理装置に格納されている各種コンテンツデータ一覧情報あることを特徴とする請求項１に記載の情報処理装置。
【請求項１１】
前記所定のデータとは、前記ディスプレイ部に表示されているデータのうち一部、又は、全てのデータを消去するためのデータであることを特徴とする請求項１に記載の情報処理装置。
【請求項１２】
情報の加工、表示を行う情報処理装置の制御方法であって、
該装置への電力供給を所定の供給量以下に決定する電源ＯＦＦ判定ステップと、
前記電源ＯＦＦ判定ステップで、所定の電力供給量以下に決定された際に、該装置が各種情報の表示を行うディスプレイ部に、表示されるデータが特定できる情報と、前記ディスプレイ部に前記表示されるデータの表示時間を、有線・無線の各種ネットワーク網を介してサーバに通知するサーバ通知ステップと、
を含む情報処理装置の制御方法。
【手続補正２】
【補正対象書類名】明細書
【補正対象項目名】００１６
【補正方法】変更
【補正の内容】
【００１６】
そこで本出願のある曲面に係る情報処理装置は、情報の加工、表示を行う情報処理装置であって、電力供給がない状態で、表示内容を継続して保持するメモリ特性のあるディスプレイ部と、該装置への電力供給を所定の供給量以下に決定する電源ＯＦＦ判定部と、前記電源ＯＦＦ判定部が、該装置への電力を前記所定の供給量以下に決定した場合に、前記ディスプレイ部へ所定のデータを表示し、該装置への電力供給を所定の供給量以下に設定する制御部とを備える。
【手続補正３】
【補正対象書類名】明細書
【補正対象項目名】００１７
【補正方法】変更
【補正の内容】
【００１７】
この構成により、電源をＯＦＦするタイミングでユーザにとって有用な情報をディスプレイ部に表示することができる。その結果、なにも表示されないで電源がＯＦＦされる場合と比較し、省電力性を保ちつつ、ディスプレイ部に妥当な情報を表示することができる。
【手続補正４】
【補正対象書類名】明細書
【補正対象項目名】００１８
【補正方法】変更
【補正の内容】
【００１８】
その結果、たとえば所定のデータとして電池の残量を表示する場合には、ディスプレイ装置として電子ペーパーを備える情報処理装置において、省電力性と電池残量表示の妥当性とを両立させることができる。さらに、電源ＯＦＦ時に適切な画面表示及び画面更新を実現することによって、ユーザの誤解がないようなユーザーインターフェース、乃至使い勝手のよいユーザーインターフェースを提供することが可能となる。
【国際調査報告】
2011001671.tif 000053
2011001671.tif 000054
2011001671.tif 000055
2011001671.tif 000056